(57)【特許請求の範囲】
【請求項１】
貨幣処理装置であって、
投入された貨幣を１枚ずつ繰り出す繰り出し機構を備えた入金部と、
貨幣を識別する識別部と、
貨幣を払い出す出金口を有する出金部と、
一時的に貨幣を収納する一時保留部と、
前記入金部、前記識別部、前記出金部、及び前記一時保留部を連結し、貨幣を搬送する搬送部と、
前記入金部、前記識別部、前記出金部、前記一時保留部、及び前記搬送部の動作を制御する制御部と、
を備え、
前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納されるようになっており、
前記所定の処理が整理計数処理である場合に、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出される貨幣処理装置。
【請求項２】
請求項１に記載の貨幣処理装置において、
前記所定の処理が枚数計数処理である場合に、投入された貨幣の計数が前記識別部において行われ、投入された貨幣のうち、受付対象の金種の正常貨幣は前記出金口に払い出され、それ以外の貨幣は前記一時保留部に収納される貨幣処理装置。
【請求項３】
請求項１に記載の貨幣処理装置において、
同じ向きの貨幣のみが前記一時保留部に収納される貨幣処理装置。
【請求項４】
請求項１〜３のいずれか一つに記載の貨幣処理装置において、
前記制御部が返却処理の開始指示を受けることにより、前記一時保留部に収納した貨幣が前記出金口に払い出される貨幣処理装置。
【発明の詳細な説明】
【技術分野】
【０００１】
本発明は、貨幣処理装置に関する。
【背景技術】
【０００２】
本発明に関し、収集特定者のみが収納した貨幣を取り出すことができる貨幣入出金機が開示されている（特許文献１）。この貨幣入出金機では、ＩＤカード別に操作できる処理が制限されていて、例えば、収集特定用ＩＤカードをカードリーダに通すことで、機体の下部ブロックの扉体が解錠され、下部ブロック内のカセットに収容された売上金の回収操作ができるようになる。
【０００３】
また、３者以上の当事者が貨幣の取り扱いに関与できる貨幣処理装置も開示されている特許文献２）。この貨幣処理装置では、貨幣の入出金処理を行う入出金部や貨幣を収納する収納部等に区分けされていて、これら区分けされた部位は、それぞれ異なる当事者のみが取り扱えるように構成されている。
【先行技術文献】
【特許文献】
【０００４】
【特許文献１】特開２００２−３１２８３３号公報
【特許文献２】国際公開第２０１０／１０９６０６号
【発明の概要】
【発明が解決しようとする課題】
【０００５】
貨幣処理装置は、一般に、スーパーマーケットや銀行など、現金が大量に取り扱われる分野、例えば、銀行の窓口などでの出納業務や、スーパーマーケットの売上金の管理業務などで用いられている。貨幣処理装置は、貨幣を処理する処理部や貨幣を収納する金庫部など、その機能やセキュリティレベルに応じてその内部が適宜区画され、そのそれぞれに対し、個別に管理する権限が設定されている。
【０００６】
例えば、貨幣処理装置がスーパーマーケットに設置されている場合であれば、処理部は、売上金を取り扱うスーパーマーケットの経理担当者に管理権限を設定し、金庫部は、銀行の依頼に基づいて売上金を定期的に回収する所定の貨幣回収業者や銀行に管理権限を設定することが考えられる。
【０００７】
この点、上述した特許文献１の貨幣入出金機や特許文献２の貨幣処理装置の場合、処理部等に設定される管理権限が固定されているため、復旧作業等において問題があった。
【０００８】
例えば、上記の場合、経理担当者が貨幣処理装置を用いて売上金を処理している時に、金庫部でトラブルが発生した場合、経理担当者は金庫部の管理権限を持たないため、貨幣回収業者か銀行員の担当者を呼ばなければ復旧作業ができない。貨幣回収業者や銀行の所在地が遠方にある場合や、これらの所在地が近くにあっても直ぐには対応できない場合などには、売上金の処理が中断したまま、貨幣処理装置が長期間使用できなくなってしまう。
【０００９】
そこで、本出願人は、そのようなトラブルが発生したような場合であっても迅速に対応できるように、貨幣を収納する貨幣収納部と、前記貨幣収納部へのアクセスを制限する施錠部と、前記施錠部を解錠する権限である解錠権限を、複数の解錠権限者のうち少なくとも１つに設定でき、前記解錠権限者の変更を伴う処理を行う制御部と、前記貨幣収納部内の貨幣の所有権を記憶する記憶部と、を備え、前記制御部が、前記解錠権限と前記所有権とを関連させて管理する貨幣処理装置を発明した（関連発明）。本発明の目的は、この関連発明の適用が可能であり、手間のかかる作業の効率化を図ることができる貨幣処理装置を提供することにある。
【課題を解決するための手段】
【００１０】
本発明に係る貨幣処理装置は、投入された貨幣を１枚ずつ繰り出す繰り出し機構を備えた入金部と、貨幣を識別する識別部と、貨幣を払い出す複数の出金口を有する出金部と、前記入金部、前記識別部、及び前記出金部を連結し、貨幣を搬送する搬送部と、前記入金部、前記識別部、前記出金部、及び前記搬送部の動作を制御する制御部と、を備える。
【００１１】
そして、前記制御部が所定の処理の開始指示を受けることにより、投入された貨幣が、前記入金部から繰り出されて前記搬送部によって前記識別部に搬送され、当該識別部の識別結果に基づいて前記複数の出金口のいずれかから払い出されるように構成されている。
【００１２】
前記所定の処理が枚数計数処理である場合には、投入された貨幣の計数が前記識別部において行われ、投入された貨幣のうち、受付対象の金種の正常貨幣は一の出金口に払い出され、それ以外の貨幣は他の出金口に払い出されるようにするとよい。
【００１３】
この場合、計数した結果を表示する表示部をさらに備えるのが好ましい。
【００１４】
前記所定の処理が整理計数処理である場合には、投入された貨幣の計数が前記識別部において行われ、投入された貨幣のうち、特定の金種の正常貨幣は一の出金口に払い出され、それ以外の貨幣は他の出金口に払い出されるようにしてもよい。
【００１５】
前記特定の金種は、投入された貨幣のうち、前記識別部で最初に正常貨幣として識別した金種であるのが好ましく、また、前記特定の金種は、予め指定された金種であるのが好ましい。
【００１６】
前記一の出金口に払い出される貨幣が、予め指定された枚数に達すると整理計数処理が終了するようにするとよい。
【００１７】
更に、本発明に係る貨幣処理装置は、投入された貨幣を１枚ずつ繰り出す繰り出し機構を備えた入金部と、貨幣を識別する識別部と、貨幣を払い出す出金口を有する出金部と、一時的に貨幣を収納する一時保留部と、前記入金部、前記識別部、前記出金部、及び前記一時保留部を連結し、貨幣を搬送する搬送部と、前記入金部、前記識別部、前記出金部、前記一時保留部、及び前記搬送部の動作を制御する制御部と、を備え、前記制御部が所定の処理の開始指示を受けることにより、投入された貨幣が、前記入金部から繰り出されて前記搬送部によって前記識別部に搬送され、当該識別部の識別結果に基づいて、前記出金口から払い出されるか、前記一時保留部に収納されるようにしてもよい。
【００１８】
このとき、前記所定の処理が枚数計数処理である場合には、投入された貨幣の計数が前記識別部において行われ、投入された貨幣のうち、受付対象の金種の正常貨幣は前記出金口に払い出され、それ以外の貨幣は前記一時保留部に収納されるようにするとよい。
【００１９】
また、前記所定の処理が整理計数処理である場合には、投入された貨幣の計数が前記識別部において行われ、投入された貨幣のうち、前記識別部で最初に正常貨幣として識別した金種の正常貨幣は前記一時保留部に収納され、それ以外の貨幣は前記出金口に払い出されるようにしてもよい。
【００２０】
このとき、同じ向きの貨幣のみが前記一時保留部に収納されるようにするのが好ましい。
【００２１】
そうして、前記制御部が返却処理の開始指示を受けることにより、前記一時保留部に収納した貨幣が前記出金口に払い出されるようにするとよい。
【００２２】
また更に、本発明に係る貨幣処理装置は、投入された貨幣を１枚ずつ繰り出す繰り出し機構を備えた入金部と、貨幣を識別する識別部と、貨幣を払い出す出金口を有する出金部と、前記入金部、前記識別部、及び前記出金部を連結し、貨幣を搬送する搬送部と、前記入金部、前記識別部、前記出金部、及び前記搬送部の動作を制御する制御部と、を備え、前記制御部が枚数計数処理の開始指示を受けることにより、投入された貨幣が、前記入金部から繰り出されて前記搬送部によって前記識別部に搬送され、当該識別部において計数が行われた貨幣の全てが前記出金口から払い出されるようにしてもよい。
【００２３】
その場合には、計数した結果を表示する表示部をさらに備えるようにするのが好ましい。
【発明の効果】
【００２４】
本発明の貨幣処理装置によれば、手間のかかる作業の効率化を図ることができる。
【図面の簡単な説明】
【００２５】
【図１】貨幣処理装置の適用例である。
【図２】第１の機種の概略斜視図である。
【図３】第１の機種の内部構造を示す概略図である。
【図４】収納カセットの概略斜視図である。
【図５】第１の機種の動作制御に係る構成を示す図である。
【図６】第１の機種における直接入金処理の動作説明図である。
【図７】第１の機種におけるバイパス入金処理の動作説明図である。
【図８】第１の機種における入金口補充処理の動作説明図である。
【図９】第１の機種における釣銭準備処理の動作説明図である。
【図１０】第１の機種における出金処理の動作説明図である。
【図１１】第１の機種におけるバイパス出金処理の動作説明図である。
【図１２】（ａ）、（ｂ）は、第１の機種における全精査処理の動作説明図である。
【図１３】第１の機種における部分精査処理の説明図である。
【図１４】第１の機種における枚数計数処理の動作説明図である。
【図１５】第１の機種における精査カセット補充処理の動作説明図である。
【図１６】第１の機種における回収処理の動作説明図である。
【図１７】（ａ）、（ｂ）は、第１の機種における回収処理の動作説明図である。
【図１８】第１の機種におけるカウンタ、記番号管理機能の説明図である。
【図１９】第２の機種の概略斜視図である。
【図２０】第２の機種の内部構造を示す概略図である。
【図２１】第２の機種の動作制御に係る構成を示す図である。
【図２２】第２の機種における直接入金処理の動作説明図である。
【図２３】第２の機種における枚数計数処理の動作説明図である。
【図２４】第２の機種における入金口補充処理の動作説明図である。
【図２５】第２の機種における出金処理の動作説明図である。
【図２６】第２の機種における回収処理の動作説明図である。
【図２７】第２の機種における回収処理の動作説明図である。
【図２８】第２の機種における精査処理の動作説明図である。
【図２９】第２の機種における返却処理の動作説明図である。
【図３０】第３の機種の概略斜視図である。
【図３１】第３の機種の内部構造を示す概略図である。
【図３２】第３の機種の動作制御に係る構成を示す図である。
【図３３】第３の機種における直接入金処理の動作説明図である。
【図３４】第３の機種における入金処理の動作説明図である。
【図３５】第３の機種における整理計数処理の動作説明図である。
【図３６】第３の機種における枚数計数処理の動作説明図である。
【図３７】第３の機種における収納処理の動作説明図である。
【図３８】第３の機種における返却処理の動作説明図である。
【図３９】第３の機種におけるロールバック処理の動作説明図である。
【図４０】第３の機種における出金処理の動作説明図である。
【図４１】第３の機種における出金処理の動作説明図である。
【図４２】第３の機種における全払い出し処理の動作説明図である。
【図４３】第３の機種における回収処理の動作説明図である。
【図４４】第３の機種における回収処理の動作説明図である。
【図４５】第３の機種における回収処理の動作説明図である。
【図４６】第３の機種における残置回収処理の動作説明図である。
【図４７】第３の機種における残置回収処理の動作説明図である。
【図４８】関連発明を具体的に説明するための貨幣処理装置の基本構成図である。
【図４９】制御部の構成図である。
【図５０】貨幣収納部の解錠資格者等の関係を示す図である。
【図５１】貨幣処理装置の動作例を示す図である。
【図５２】貨幣処理装置の動作例を示す図である。
【図５３】貨幣処理装置の変形例の構成を示す図である。
【図５４】変形例における貨幣収納部の解錠資格者等の関係を示す図である。
【図５５】変形例における貨幣処理装置の動作例を示す図である。
【発明を実施するための形態】
【００２６】
以下、本発明の実施形態を図面に基づいて詳細に説明する。ただし、以下の説明は、本質的に例示に過ぎず、本発明、その適用物あるいはその用途を制限するものではない。
【００２７】
＜貨幣処理装置の基本的構成＞
本発明が適用し得る貨幣処理装置は、紙幣や硬貨を処理する多機能装置である。一般に、スーパーマーケットや銀行など、大量に現金が取り扱われる分野において用いられる。例えば、銀行の窓口などでの出納業務や、スーパーマーケットの売上金の管理業務などで、手間のかかる現金の入金や出金、計数、保管管理等の処理に用いられ、貨幣処理装置を用いることで、これら作業の高精度化、効率化を図ることができる。
【００２８】
図１に、本発明の貨幣処理装置を適用したシステム例を示す。貨幣処理装置は、ＬＡＮやＷＡＮ等のネットワークを介して上位端末やサーバと通信可能に接続し、システム化して用いることができる。例えば、同図において、貨幣処理装置１ａのように、上位端末Ｔやその他機器と同じネットワークＮに接続して用いることができるし、貨幣処理装置１ｂのように、ネットワークＮ上にある上位端末Ｔに接続して用いることもできる。また、貨幣処理装置１ｃのように、サーバＳを介して接続された他のネットワークＮ’に接続して用いることもできる。例えばこの場合、貨幣処理装置１ｃを銀行の勘定系システムのネットワークに接続することができる。そうすれば、貨幣処理装置１ｃで管理されている貨幣
の会計処理をネットワークを通じてリアルタイムで行うことができる。
【００２９】
また、貨幣処理装置１は、貨幣処理装置１ｄのように、独立した上位端末Ｔに直接接続して用いることもできる。この場合、上位端末Ｔは１台だけでなく、同図のように、複数台に接続し、いずれか１つの上位端末Ｔを選択的に切り替えて用いることができる。
【００３０】
貨幣処理装置には用途や機能別に様々な機種があるが、本発明は特定の機種に限らず、様々な機種に適用できる。本発明が適用し得る貨幣処理装置の一例として、ここでは主な３機種（第１〜第３の機種）について詳細に説明する。その上で、関連発明の貨幣処理装置の具体的構成について説明する。
【００３１】
（紙幣の分類）
貨幣処理装置が処理する貨幣には紙幣だけでなく硬貨も含まれるが、ここでは紙幣を例に説明する。また、紙幣の状態によって処理が異なる場合があるため、説明では、その状態に応じて紙幣の名称を区別する。すなわち、「正常紙幣」とは、識別部によって識別可能な紙幣をいい、「リジェクト紙幣」とは、識別部で識別不能な紙幣をいう。「正券」とは、正常紙幣のうち、汚れや破れ等が比較的少ない状態の紙幣をいい、「損券」とは、正常紙幣のうち、汚れや破れ等が比較的多い状態の紙幣をいう。
【００３２】
［第１の機種］
｛第１の機種の構成｝
図２及び図３に、本機種の貨幣処理装置（単に、入出金機１Ａともいう）を示す。この入出金機１Ａは、いわゆる循環式の入出金機であり、出金処理時に払い出す紙幣には、入金処理時に収納部３に収納した紙幣が含まれる。
【００３３】
入出金機１Ａは、上部の処理部１１と、中間部の第１金庫部１３と、下部の第２金庫部１４とに大別される。処理部１１を構成する筐体１１１内には、投入口２１１を有する入金部２１と、第１及び第２出金口２３１、２３２を有する出金部２３と、紙幣の識別を行う識別部２５と、一時的に紙幣を収納する出金リジェクト一時保留部５１（一時保留部５１ともいう）と、入金部２１、出金部２３、識別部２５及び一時保留部５１を相互に連結するループ搬送路４１１を含む搬送部４１と、が配設されている。一方、処理部１１を構成する筐体１１１の下側に配置される筐体１３１は、第１及び第２金庫部１３、１４を構成する筐体であり、その内部に格納している収納部３等を、所定以上のセキュリティレベルで防護するように構成されている（防護筐体１３１ともいう）。
【００３４】
第１金庫部１３には、複数の（図例では４個の）スタック式の収納カセット３１を含んで構成された収納部３と、同じくスタック式の精査カセット３３とが配設され、第２金庫部１４には、回収カセット５３が配設されている。防護筐体１３１の前面には、第１金庫部１３を開閉するための第１開閉扉１３３と、第２金庫部１４を開閉するための第２開閉扉１３５とがそれぞれ個別に設けられている。
【００３５】
第１開閉扉１３３の前面には第１電子錠１３３１が設けられ、第２開閉扉１３５の前面には第２電子錠１３３２が設けられている。これら電子錠１３３１，１３３２は、例えば、予め設定された暗証番号を入力することによって解錠することができる。電子錠１３３１，１３３２の解錠により、各開閉扉１３３，１３５を開放して、収納部３や回収カセット５３にアクセス（接触）することが可能になる。なお、従来機種では、上述したように、これら電子錠１３３１，１３３２の解錠権限は固定されているが、関連発明では、これら電子錠１３３１，１３３２の解錠権限が動的に変更できる（詳細については別途後述する）。
【００３６】
投入口２１１は、例えば入金処理の際に入金する紙幣を投入するための口である。投入口２１１は、処理部側筐体１１１の上面において上向きに開口していて、複数枚の紙幣を一度に受け入れ可能に構成されている。入金部２１はまた、投入口２１１に投入された複数枚の紙幣を、一枚ずつ、ループ搬送路４１１に繰り出す繰り出し機構を備えている。
【００３７】
第１及び第２出金口２３１、２３２はそれぞれ、例えば出金処理の際に紙幣を払い出すための口である。これらの出金口２３１、２３２は、投入口２１１よりも奥行き方向の手前側の、処理部側筐体１１１における上面から前面にかけての位置で前後に並んでかつ、斜め上方に向かって開口している。これら第１及び第２出金口２３１、２３２は、搬送されてきた紙幣を集積し、複数枚の紙幣を一度に保持可能なリフトを有している（図示省略）。リフトは、リフト機構により、紙幣の抜き取り可能な払出位置と、紙幣の抜き取り不能な待機位置とに移動する。
【００３８】
識別部２５は、ループ搬送路４１１上に配設されて、そのループ搬送路４１１に沿って搬送される紙幣の一枚一枚について、その真偽、金種及び正損を識別するように構成されている。具体的には、画像センサ、赤外線センサ、紫外線センサ、及び磁気センサ等の、紙幣の特徴を取得するセンサを搭載し、搬送される紙幣の特徴が、記憶している各種紙幣の特徴と一致するかを判定し、金種、真偽、及び正損を識別する。本機種の識別部２５はまた、紙幣に印字されている記番号を光学的に読み取る機能を有している。ここで、記番号の読み取りは、紙幣における所定の位置に印字されている記番号の画像を取得し、その取得した画像に基づいて、記番号の各桁の文字や数字を認識することである。尚、識別部２５が記番号の読み取りを行うのではなく、識別部２５とは別の読取部を、例えばループ搬送路４１１上に配置してもよい。また、識別部２５におけるセンサ以外の機能を、後で述べる制御部５１３が行ってもよい。
【００３９】
搬送部４１は、処理部側筐体１１１内においてエンドレスに設けられたループ搬送路４１１を備えている。紙幣は、このループ搬送路４１１に沿って図３における時計回り方向及び反時計回り方向に搬送される。このループ搬送路４１１は、図示は省略するが、多数のローラ、複数のベルト、これらを駆動するモータ、搬送される紙幣を検出するセンサ及び複数のガイドの組み合わせによって構成されている。ループ搬送路４１１は、その搬送路に沿って、紙幣と紙幣との間に所定間隔を隔てた状態で、紙幣を一枚ずつ短手搬送する。ループ搬送路４１１と投入口２１１との間は、投入路４１３によって互いに接続されており、投入口２１１に投入された紙幣は、この投入路４１３を通ってループ搬送路４１１まで搬送される。
【００４０】
ループ搬送路４１１には、４つの収納カセット３１のそれぞれに接続される分岐路４１７が、図示省略の分岐機構を介して接続されており、各分岐機構の動作制御によって、ループ搬送路４１１上を搬送されている紙幣が選択的に、分岐路４１７を通じて４つの収納カセット３１のいずれかに搬送されてそこに収納されると共に、いずれかの収納カセット３１から繰り出された紙幣が、分岐路４１７を介してループ搬送路４１１に搬送されるようになる。
【００４１】
ループ搬送路４１１にはまた、第１及び第２払出路４１５、４１６が、紙幣の搬送方向を切り替える分岐機構（図示省略）を介してそれぞれ接続されている。第１払出路４１５の先端は、第１出金口２３１に接続され、第２払出路４１６の先端は、第２出金口２３２に接続されている。各分岐機構は、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。この構成によって、ループ搬送路４１１上を搬送されている紙幣は、分岐機構の動作制御によって選択的に、第１又は第２払出路４１５、４１６を通って第１
又は第２出金口２３１、２３２に搬送される。
【００４２】
ループ搬送路４１１にはさらに、精査カセット３３に接続される第１接続路４１８と、回収カセット５３に接続される第２接続路４１９とが、それぞれ図示省略の分岐機構を介して接続されている。この内、第２接続路４１９は、第１金庫部１３を上下に貫通するように延びて配設されており、その途中に分岐路４１１０が設けられている。この分岐路４１１０は、後述する第４収納カセット下部３１−４Ｌに接続されている。
【００４３】
これら第１接続路４１８及び第２接続路４１９の接続位置に設けられた各分岐機構もまた、互いに異なる３方向に延びる搬送路の集合位置において、所定方向から搬送されてくる紙幣を、それとは別の２方向それぞれに選択的に搬送させるように動作する。この構成によって、ループ搬送路４１１上を時計回り方向又は反時計回りに搬送されている紙幣は、分岐機構の動作制御によって選択的に、第１接続路４１８を通って精査カセット３３に搬送されるか、第２接続路４１９を通って、第４収納カセット下部３１−４Ｌ又は回収カセット５３に搬送される。また、精査カセット３３又は第４収納カセット下部３１−４Ｌから繰り出されかつ、第１又は第２接続路４１８、４１９を通って搬送されてきた紙幣が、ループ搬送路４１１上で時計回り又は反時計回り方向に搬送される。
【００４４】
収納部３は、前述したように、図例では第１−第４のスタック式の収納カセット３１を含んで構成されている。ここで、以下の説明において、各々の収納カセットを総称する場合には、符号「３１」を付し、第１、第２、第３…の、各々の収納カセットを区別する場合には、符号「３１−１、３１−２、３１−３…」を付す。尚、収納カセット３１の数は特に限定されず、１個以上で、適宜の数を設定すればよい。４個の収納カセット３１は、この例では、装置の奥行き方向に並んで配設されている。
【００４５】
詳細な図示は省略するが、収納部３は、第１金庫部１３の開閉扉１３３を開けた状態で、装置の手前に引き出すことができる。収納部３を引き出した状態で、各収納カセット３１はそれぞれ、装置に対して取り外し、取り付けができるように構成されている。
【００４６】
図４に、収納カセット３１の一例を示す。第１〜第３の収納カセット３１−１、３１−２、３１−３や、第４の収納カセット３１−４、精査カセット３３は、互いに同じような外観を呈しており、上下方向に細長い形状を有している。各収納カセット３１の上面には、紙幣の通過が可能な出入口３０００が、カセットの内外を連通するように形成されており、その出入口３０００に、前述した分岐路４１７が着脱可能に接続される。収納カセット３１の側面には、揺動開閉式のカセットドア３００２が設けられている。カセットドア３００２の開閉は、収納カセット３１の抜き取りを制限するロック部３００１によって制御されている。
【００４７】
各収納カセット３１の内部には、そこに集積される紙幣の量に応じて昇降する集積台３１１が配設されている。第１〜第３の収納カセット３１−１、３１−２、３１−３は、ループ搬送路４１１から、各カセットの出入口３０００を通ってその内部に送り込まれた紙幣を、集積台３１１の上で、下から上の順に積み重ねて収納するように構成され、かつ、集積台３１１上に積み重ねられた紙幣を、上から下の順に一枚ずつ出入口３０００を通じてループ搬送路４１１に繰り出すことが可能に構成されている。
【００４８】
これに対し、第４の収納カセット３１−４は、その内部に仕切りが設けられており、これによって第４の収納カセット３１−４は、上側のカセット上部（第４収納カセット上部３１−４Ｕ）と、下側のカセット下部（第４収納カセット下部３１−４Ｌ）に分割されている。第４収納カセット上部３１−４Ｕの出入口３０００は、その上面に形成されている。第４収納カセット下部３１−４Ｌの出入口３０００は、その側面に形成されている。収納カセット上部３１−４Ｕの出入口３０００には、ループ搬送路４１１から分岐した分岐路４１７が接続され、収納カセット下部３１−４Ｌの出入口３０００には、第２接続路４１９から分岐した分岐路４１１０が接続されている。
【００４９】
これにより、第４収納カセット上部３１−４Ｕは、第１の収納カセット３１−１等と同様に、紙幣を収納、繰り出すことが可能に構成されている。対して、第４収納カセット下部３１−４Ｌは、ループ搬送路４１１から、第２接続路４１９を通ってその内部に送り込まれた紙幣を、集積台３１１の上で、下から上の順に積み重ねて収納するように構成され、かつ、集積台３１１上に積み重ねられた紙幣を、上から下の順に一枚ずつ第２接続路４１９及びループ搬送路４１１に繰り出すことが可能に構成されている。
【００５０】
精査カセット３３は、各収納カセット３１の精査処理に利用されるカセットであり、各収納カセット３１に収納している紙幣を全て収納することが可能となるように、収納カセット３１と同じかそれよりも大きい容量を有している。精査カセット３３は、精査処理時以外の通常時は、空である。精査カセット３３は、第１金庫部１３内において、第２接続路４１９を挟んだ第４収納カセット３１−４とは反対側の位置において、筐体１３１に対し着脱可能に取り付けられている。
【００５１】
この精査カセット３３は、収納カセット３１と同様にスタック式であり、収納カセット３１と同様に、その上面に出入口３０００が形成され、その内部には集積台３３１が設けられている。精査カセット３３の出入口３０００は、前述の通り、第１接続路４１８に接続されており、精査カセット３３は、ループ搬送路４１１から出入口３０００を通ってカセット内に送り込まれた紙幣を、集積台３３１の上に、下から上の順に積み重ねて収納すると共に、集積台３３１上に積み重ねられている紙幣を、上から下の順に一枚ずつ出入口を通じてループ搬送路４１１に繰り出すことが可能に構成されている。尚、この精査カセット３３を、精査処理用の精査カセットとして構成する代わりに、収納カセット３１の一つ（第５の収納カセット）として構成してもよい。
【００５２】
出金リジェクト一時保留部５１は、第２出金口２３１に接続される第２払出路４１６の途中からさらに分岐した分岐路に接続されている。この一時保留部５１は、例えば出金処理時に発生したリジェクト紙幣を一時的に収納する収納部である。一時保留部５１は、スタック式の収納カセット３１等とは異なり、巻き取り方式に構成されている（後述する第３の機種における収納モジュール３１参照）。
【００５３】
回収カセット５３は、第２金庫部１４内に着脱可能に取り付けられており、前述したように、第２接続路４１９を介してループ搬送路４１１に接続されている。回収カセット５３はスタック式の収納部であるが、前述した収納カセット３１や精査カセット３３とは異なり、装置の奥行き方向に細長い形状を有しており、図示は省略するが、その内部に奥行き方向に移動する札押さえを備えている。回収カセット５３は、その札押さえが紙幣の収納量に応じて移動をしながら、立てた姿勢の紙幣を奥行き方向に並べるように収納するよう構成されている。
【００５４】
回収カセット５３はまた、収納カセット３１や精査カセット３３とは異なり、収納している紙幣を繰り出し不可に構成されている。回収カセット５３には、例えば入金処理時に投入口２１１に投入された紙幣の内、収納部３に収納しきれなかった紙幣（オーバーフロー紙幣）が収納される。また、出金処理時等に識別不可であったリジェクト紙幣が、この回収カセット５３に収納される場合がある。
【００５５】
図５は、入出金機１Ａの動作制御に係る構成を示している。入出金機１Ａは、例えば周知のマイクロコンピュータをベースとした制御部５１３を備えている。制御部５１３には、前述した入金部２１、出金部２３、第１−第４収納カセット３１を含む収納部３、精査カセット３３、出金リジェクト一時保留部５１、回収カセット５３、及び搬送部４１が、信号の送受信可能に接続されている。これらの各部２１，２３，３，３３，４１，５１，５３は、例えば図２に示す、収納カセット３１、精査カセット３３及び回収カセット５３の出入口３０００に設けられかつ、紙幣の通過を検知する通過センサ３１２のような、搬送中の紙幣を検知するといった機能を有する各種のセンサを含んでおり、各種センサの検知信号は制御部５１３に入力される。制御部５１３は、入力された検知信号等に基づいて制御信号を出力し、各部２１，２３，３，３３，４１，５１，５３は、その制御信号に従って動作する。
【００５６】
制御部５１３にはまた、識別部２５が接続されており、識別部２５は、識別結果及び記番号の読み取り結果を制御部５１３に提供する。さらに、入出金機１Ａを操作するオペレータに対するヒューマンインターフェース部分としての操作部５５が接続されている。例えばＬＡＮやシリアルバスを通じて、入出金機１Ａが上位端末装置等との間で信号の送受信を行うための通信部５７も制御部５１３に接続されている。各種の情報を記憶するための、例えばハードディスクドライブやフラッシュメモリ等の汎用のストレージデバイスにより構成される記憶部５９も制御部５１３に接続されている。
【００５７】
記憶部５９は、入出金機１Ａが収納している紙幣の金種別枚数又は金額である在高を少なくとも記憶する。また、記憶部５９は、収納カセット３１毎の在高も記憶する。具体的には、記憶部５９はカウンタを有し、各カセットへの紙幣の収納時及び各カセットからの紙幣の繰出時に、リアルタイムに紙幣のカウントを行う現物在高として、各収納カセット３１や精査カセット３３、回収カセット５３毎にカウンタが設定される。また、入金処理や出金処理が完了したときにも機内在高としてカウンタが設定される。
【００５８】
また、この入出金機１Ａでは、紙幣の管理を記番号を利用して行うように構成されており、記憶部５９は、各部に収納している紙幣の記番号を、その収納順に並べると共に、各々の記番号を、その収納枚数に対応する通し番号と関連付けた記番号リストを記憶する。また、記憶部５９は、入出金機１Ａにおいて実行された各種処理の履歴をログとして記憶する。
【００５９】
入出金機１Ａには、各種の情報を表示するため、例えば図２に示したように、フラットパネルディスプレイからなる表示部５１１が装着可能に構成されている。この表示部５１１もまた、制御部５１３に接続される。表示部５１１をタッチパネル式のディスプレイとして、表示部５１１と操作部５５とを一体にしてもよい。
【００６０】
制御部５１３は、通信部５７を通じて受けた上位端末Ｔからの指令、及び／又は、操作部５５を通じて受けた各種の指令に応じて、各部２１，２３，２５，３，３３，４１，５１，５３，５５，５７，５９，５１１の動作を制御する。
【００６１】
｛第１の機種の機能｝
すなわち、入出金機１Ａは、出金等の各種計数処理を行う機能を有している。その他にも、この入出金機１Ａは各種機能を有しており、以下、その主な機能について説明する。
【００６２】
（ＬＥＤ表示機能）
操作部５５において、入出金機１Ａの状況に応じてＬＥＤを点滅や点灯させる処理である。操作部５５には、赤や青等、発光が異なる複数の小型のＬＥＤライトが備えられている（図示省略）。そして、入出金機１の状況、例えば、紙幣の抜き取り待ちやエラーの発生などに応じてこれらＬＥＤライトが異なった点滅や点灯を行うように設定されている。点滅周期や点灯タイミング、発光色を組み合わせることで、複数の状況が一目で区別できるように設定されている。
【００６３】
（省電力機能）
入出金機１Ａの状況に応じて、動作が不要な機能部位への電流の供給を停止し、電力消費を抑制する機能である。例えば、入出金機１Ａの作動が一定期間停止すると、自動的に一部の機能部位への電流の供給を停止する。そして、上位端末Ｔや操作部５５において所定の操作を行うことで、元の状態に復帰させることができる。
【００６４】
（縮退機能）
縮退機能は、入出金機１Ａに故障が発生した場合に、故障部位を切り離すことによって継続して使用できるようにする機能である。例えば、上位端末Ｔ及び／又は操作部５５（上位端末Ｔ等ともいう）の指令を受けることにより、その指示に基づいて制御部５１３が縮退を行う場合（指示縮退）と、収納カセット３１が故障して、その故障した収納カセット３１が取り外された時に、制御部５１３が縮退を行う場合（自動縮退）とがある。
【００６５】
指示縮退の場合には、まず、入出金機１Ａにおいて故障が発生した場合、その故障の発生部位や故障内容等を示すエラーコードが発信され、そのエラーコードに基づき故障状況が上位端末Ｔ等を通じてオペレータに知らされる。オペレータは、例えば上位端末Ｔ等の操作によって縮退処理の開始コマンドを、入出金機１Ａに入力する。それにより、制御部５１３は、該当する故障部位を電気的に切り離す。その後、制御部５１３は、切り離した故障部位以外の部位が正常に作動するか否かの動作チェックを行う。そして、動作チェックが適正であることが確認されると、入出金機１Ａは継続して使用可能になる。
【００６６】
自動縮退の場合には、収納カセット３１が取り外されると、取り外された収納カセット３１は自動的に電気的に切り離され、入出金機１Ａは継続して使用可能になる。
【００６７】
収納カセット３１が電気的に切り離された場合、その収納カセット３１と設定金種等が同じ収納カセット３１があるときには、その同設定の収納カセット３１が切り離された収納カセット３１の代わりに代用される。その収納カセット３１と設定金種等が同じ収納カセット３１が無いときには、その収納カセット３１に収納されるべき紙幣が入金された場合、その紙幣はオーバーフロー紙幣やリジェクト紙幣として扱われ、これら紙幣の搬送先に搬送される。また、出金時等には、該当する紙幣を繰り出すことができないため、空である旨の表示が行われる。
【００６８】
（占有機能）
入出金機１Ａに対して複数の上位端末Ｔが直接的又は間接的に接続されている場合に、そのいずれか１つが入出金機１Ａの制御を占有する機能である。上位端末Ｔは、入出金機１Ａを占有することでその入出金機１Ａの制御が可能になる。入出金機１Ａが他の上位端末Ｔに占有されている場合、重複して占有することはできない。占有は、例えば上位端末Ｔ等の操作により、占有処理の開始コマンドを、入出金機１Ａに入力することで占有できる。
【００６９】
（直接入金処理）
直接入金処理は、入出金機１Ａに入金（収納）された正常紙幣を直接的に収納カセット３１に収納する処理である。投入口２１１に投入された紙幣は、識別部２５による識別結果と、予め設定された収納割当とに従って、いずれかの収納カセット３１に収納される。
【００７０】
図６に、入金処理時における入出金機１Ａの動作を示す。入金する紙幣を投入口２１１に投入した状態で、例えば上位端末Ｔ等の操作によって入金処理の開始コマンドを、入出金機１Ａに入力する。入金部２１の繰り出し機構は、同図に矢印（実線）で示すように、投入口２１１の紙幣を一枚ずつ繰り出し、搬送部４１は、各紙幣を識別部２５に搬送する。識別部２５は、その紙幣の識別や計数、記番号の読み取り（これらを包括的に識別ともいう）を行う。
【００７１】
搬送部４１はまた、正常紙幣であって、記番号を全桁読み取ることができた紙幣を、同図に矢印（実線）で示すように、その識別結果及び予め設定された収納割当に従って、所定の収納カセット３１に収納する。すなわち、各紙幣は、金種別や正損別に応じて、第１〜第４のいずれかの収納カセット３１に収納される。
【００７２】
尚、収納カセット３１に割り当てが設定されていない金種の紙幣（正常紙幣）や損券は回収カセット５３に収納される。また、割り当てが設定されている収納カセット３１が満杯であるとき等にも、回収カセット５３に正常紙幣が収納される。
【００７３】
一方、搬送部４１は、リジェクト紙幣（本機種では、記番号の全桁が識別できない紙幣も含む）を、同図に矢印（破線）で示すように、第２出金口２３２に払い出す。尚、入金処理時に発生したリジェクト紙幣は、投入口２１１に再度投入され、識別部２５による識別が、もう一度行われることになる。
【００７４】
また、入金処理時に、収納カセット３１及び回収カセット５３が共に満杯になることに起因して、収納することができなくなった紙幣は、同図に矢印（破線）で示すように、第１出金口２３１に払い出される。尚、リジェクト紙幣を、第１出金口２３１に払い出すようにし、収納することができなくなった紙幣を、第２出金口２３２に払い出すようにしてもよい。
【００７５】
そうして、入金処理の終了後には、記憶部５９に記憶している在高が更新される。それと共に、各収納カセット３１に収納している紙幣の記番号を収納順に並べた記番号リストが、紙幣の収納に応じて更新される。この記番号リストにおける記番号の並びは、紙幣が識別部２５を通過した順番に従うことになる。
【００７６】
（バイパス入金処理）
バイパス入金処理は、一部の金種の紙幣について、入出金機１Ａにおいて入金として金額は確定するが、その紙幣の実際の管理については入出金機１Ａの外部で行う処理である。例えば、＄１等の少額紙幣は多量に取り扱われるため、入出金機１Ａの内部に収納して管理すると直ぐに満杯になる。そこで、そのような少額紙幣については、入金処理時に他の紙幣と同様に計数等して入出金機１Ａに入金したものとして扱い、実際の少額紙幣は入出金機１Ａに収納せずに払い出す。そして、払い出された少額紙幣については入出金機１Ａの外部で別管理する。そうすることで、より多くの紙幣金額が扱えるようになり、利便性を向上させることができる。
【００７７】
具体的には、図７に示すように、入金する紙幣が投入口２１１に投入され、例えば上位端末Ｔ等で所定の操作が行われることにより、バイパス入金処理が開始する。入金部２１の繰り出し機構は、同図に矢印（実線）で示すように、投入口２１１の紙幣を一枚ずつ繰り出し、搬送部４１は、各紙幣を識別部２５に搬送する。搬送部４１は、バイパス入金の対象となる金種の正常紙幣については、他の金種の紙幣と同様に入金としての金額を確定させた後、同図に矢印（太実線）で示すように、第１出金口２３１に払い出す。払い出された紙幣は、入出金機１Ａの外部において別管理される。バイパス入金の対象となる金種以外の正常紙幣は、上述した直接入金処理と同様に取り扱われる。
【００７８】
一方、搬送部４１は、リジェクト紙幣については、同図に矢印（破線）で示すように、第２出金口２３２に払い出す。なお、リジェクト紙幣及びバイパス入金の対象となる金種の正常紙幣の払出先は、逆であってもよい。
【００７９】
（入金口補充処理）
入金口補充処理は、収納カセット３１に外部から紙幣を補充する処理である。正券のみを各収納カセット３１に補充することができる。具体的には、図８に示すように、投入口２１１に投入された紙幣を識別し、入出金機１Ａが取り扱う金種の正券のみを該当する収納カセット３１に収納し、それ以外の紙幣、例えば損券やリジェクト紙幣は第１出金口２３１や第２出金口２３２に払い出す。
【００８０】
入金口補充処理における入出金機１Ａ内での動作は、直接入金処理と基本的には同様である。ただし、搬送部４１は、同図に矢印（実線）で示すように、識別部２５において入出金機１Ａが取り扱う金種の正券と識別された紙幣のみを該当する各収納カセット３１に搬送する。搬送部４１は、それ以外の紙幣、例えば損券やリジェクト紙幣、取り扱い対象外の紙幣であると識別部２５で識別された紙幣は、同図に矢印（太実線）で示すように、第２出金口２３２に搬送する。搬送部４１はまた、再度識別しても入出金機１Ａに収納できない紙幣、例えば収納カセット３１に設定されている金種以外の金種の紙幣や、収納先の収納カセット３１が満杯である紙幣については、同図に矢印（破線）で示すように、第１出金口２３１に搬送する。
【００８１】
（釣銭準備処理）
釣銭準備処理は、入金時に、釣銭準備金として指定された金種の正券については、指定された枚数以内であれば払い出す処理である。例えば、前日の売上金を入金する際、そのうち、翌日の釣銭として準備しておく正券を出金するのに用いられる。
【００８２】
具体的には、釣銭準備処理は、入金する紙幣が投入口２１１に投入され、例えば上位端末Ｔ等で所定の操作が行われることにより開始する。図９に示すように、投入口２１１に紙幣が投入されると、搬送部４１は、その紙幣を一枚ずつ識別部２５に搬送する。識別部２５に搬送された紙幣は、識別される。その結果、紙幣が釣銭準備金に指定された金種の正券である場合には、指定された枚数になるまで、入出金機１Ａは、入金として金額を確定し、搬送部４１は、同図に矢印（太実線）で示すように、その紙幣を第１出金口２３１に搬送する。
【００８３】
識別部２５で識別された紙幣が、釣銭準備金に指定された金種の正券以外、例えば、釣銭準備金に指定された金種の損券、釣銭準備金に指定されていない金種の紙幣である場合には、同図に矢印（実線）で示すように、上述した直接入金処理と同様に処理され、入出金機１Ａに収納される。また、釣銭準備金に指定された金種の正券であっても、指定枚数を超える分についても上述した直接入金処理と同様に処理され、入出金機１Ａに収納される。ただし、取り扱い対象外の紙幣やリジェクト紙幣は、同図に矢印（破線）で示すように、第２出金口２３２に払い出される。
【００８４】
投入口２１１に投入された紙幣が全て繰り出されても、釣銭準備金に指定された金種の正券が、指定された枚数に対して不足する場合がある。その場合には、出金指示が行われ、入出金機１Ａはその不足分の正券を出金する処理を行う。
【００８５】
（出金処理）
出金処理は、入出金機１Ａに収納されている正常紙幣を払い出す処理である。図１０に、その動作を示す。
【００８６】
具体的には、上位端末Ｔ等において、少なくとも金種と枚数とを指定する所定の出金操作を行うことによって、出金処理は開始する。収納部３は、同図に矢印（実線）で示すように、指定された金種の紙幣を、それが収納されている収納カセット３１から、指定された枚数だけ繰り出す。搬送部４１は、繰り出された紙幣を識別部２５に搬送し、識別部２５が識別と、記番号の読み取りとを行った後に、正常紙幣は、第１出金口２３１に払い出される。
【００８７】
出金処理時に発生するリジェクト紙幣は、同図に矢印（破線）で示すように、一時保留部５１に搬送され、収納される。一時保留部５１に収納された紙幣は、必要に応じて、出金処理の終了後に、各収納カセット３１又は回収カセット５３に収納される。
【００８８】
一連の処理が終了すると、上位端末Ｔ等からの指示により、リフトが払出位置に移動し、第１出金口２３１に払い出された紙幣は、紙幣の抜き取り待ちとなる。紙幣が抜き取られると、リフトは待機位置に移動する。
【００８９】
（バイパス出金処理）
バイパス出金処理は、＄１紙幣等、一部の金種の紙幣については入出金機１Ａに収納せずに外部で別管理している場合に、入出金機１Ａにおいて出金として金額を確定する場合に用いられる処理である。バイパス出金処理は、上述したバイパス入金処理に対応している。
【００９０】
本例示のバイパス出金処理では、バイパス出金の対象となる紙幣の正券はその金額を確定した後第１出金口２３１に払い出し、それ以外の紙幣は第２出金口２３２に払い出す。バイパス出金の対象となる紙幣を他の紙幣と合わせて出金処理することができる。
【００９１】
具体的には、図１１に示すように、バイパス出金の対象となる金種を含む紙幣が投入口２１１に投入され、例えば上位端末Ｔ等で所定の操作が行われることにより、まず、バイパス出金処理が開始する。このとき、例えば＄１紙幣を５枚等、出金する紙幣の枚数が指定される。入金部２１の繰り出し機構は、同図に矢印（実線）で示すように、投入口２１１の紙幣を一枚ずつ繰り出し、搬送部４１は、各紙幣を識別部２５に搬送する。識別部２５は、その紙幣の識別を行う。
【００９２】
搬送部４１は、バイパス出金の対象となる金種の正券については、他の金種の紙幣と同様に出金としての金額を確定させた後、同図に矢印（太実線）で示すように、第１出金口２３１に払い出す。第１出金口２３１が紙幣で一杯になれば、紙幣を抜き取ることで処理を再開させることができる。なお、払い出された紙幣は、入出金機１Ａの外部において別管理される。
【００９３】
その他の紙幣、具体的には、バイパス出金の対象となる金種の損券、バイパス出金の対象外の金種の正常紙幣、及びリジェクト紙幣は、同図に矢印（破線）で示すように、第２出金口２３２に払い出される。投入口２１１の紙幣の全てが繰り出されたときに、例えば、出金指示が５枚であるのに対し、第１出金口２３１に＄１紙幣が４枚払い出され、１枚不足した場合には、新たに紙幣を投入口２１１に投入し、再度バイパス出金処理を行う。そうして、バイパス出金の対象となる金種の正券の指定枚数が第１出金口２３１に払い出されることでバイパス出金処理は終了する。
【００９４】
バイパス出金処理が他の紙幣の出金処理に含めて行われる場合には、続いて、指定された金種の指定された枚数の紙幣に対し、上述したのと同様の出金処理が行われる。
【００９５】
（連続出金処理）
連続出金処理は、２つの出金口２３１，２３２を利用して、同一金額を連続して出金する場合に用いられる。連続出金処理によれば、いずれかの出金口２３１（２３２）が空であれば、直ちに次の出金処理が開始するので、処理時間の短縮を図ることができる。
【００９６】
具体的には、上位端末Ｔ等において、出金する金種や枚数を指定する所定の連続出金操作を行うことにより、連続出金処理は開始する。入出金機１Ａは、上位端末Ｔ等から１回の処理ごとに指示される連続出金指示に基づいて、第１出金口２３１や第２出金口２３２が空であるか否かを確認し、空の出金口２３１（２３２）に対して上述した出金処理と同様の出金動作を行う。１回の出金動作が終了すると、紙幣が払い出された出金口２３１（２３２）では、リフトが払出位置に移動し、紙幣を抜き取ることができる状態になる。
【００９７】
１回目の出金処理の後、続けて上位端末Ｔ等から連続出金指示があると、払い出した一方の出金口２３１（２３２）での紙幣の抜き取りを待たずに、他方の出金口２３２（２３１）への２回目の出金処理が開始される。このとき、他方の出金口２３２に紙幣が有る場合には、その紙幣の抜き取りを待って出金処理を開始する。
【００９８】
（リジェクト紙幣放出処理）
リジェクト紙幣放出処理は、各収納カセット３１に残留するリジェクト紙幣を入出金機１Ａの外に払い出して各収納カセット３１を空にする場合に用いられる。リジェクト紙幣放出処理では、上述した連続出金処理と同様の処理が行われ、そこで払い出される紙幣にリジェクト紙幣も含められる。具体的には、上述した連続出金処理では、リジェクト紙幣は、一時保留部５１に収納され、必要に応じて、出金処理の終了後に各収納カセット３１又は回収カセット５３に収納されるが、リジェクト紙幣放出処理では、各収納カセット３１に残留するリジェクト紙幣も第１出金口２３１か第２出金口２３２に払い出される。すなわち、搬送部４１は、識別部２５で識別された紙幣を、識別結果に関係なく選択された出金口２３１（２３２）に搬送する。
【００９９】
リジェクト紙幣放出処理によれば、処理後にリジェクト紙幣を一時保留部５１から収納カセット３１等に戻す処理が不要になるため、処理の簡略化が図れる。
【０１００】
（精査処理）
精査処理は、収納カセット３１に収納している紙幣を確定させるための処理である。この入出金機１Ａでは、収納カセット３１内に収納されている紙幣を、一旦、全て繰り出して行う全精査処理と、収納カセット３１内に収納されている紙幣の一部のみを繰り出して行う部分精査処理との２種類の処理がある。
【０１０１】
〔全精査処理〕
全精査処理は、例えば、収納カセット３１が装置から取り外されて、そこに設けられている扉が一旦開けられたことを検知したときに行われる。これは、収納カセット３１が開けられたときには、収納カセット３１内に収納されている紙幣の枚数や順番が不確定になるためである。また、収納カセット３１が交換された場合にも全精査処理が行われる。さらに、上位端末Ｔ等において、全精査処理の実行が指定された場合も、全精査処理は行われる。こうした全精査処理は、個々の収納カセット３１について個別に行われる場合と、全ての収納カセット３１について、順次行われる場合とがある。
【０１０２】
図１２に、全精査処理における入出金機１Ａの動作を示す。全精査処理は、具体的に、同図の（ａ）に示すように、精査対象の収納カセット３１（図例では、第１収納カセット３１−１）から、紙幣を一枚ずつ繰り出す。搬送部４１は、繰り出された紙幣を識別部２５に搬送し、識別部２５が識別を行う。正常紙幣でかつ、記番号の全桁を読み取ることができた紙幣は、同図に矢印（実線）で示すように、精査カセット３３へと搬送され、そこに収納される。一方、リジェクト紙幣は、同図に矢印（破線）で示すように、一時保留部５１へと搬送され、そこに収納される。
【０１０３】
そうして、精査対象の収納カセット３１内に収納されている紙幣が全てが繰り出され、それの識別が完了した後には、同図の（ｂ）に示すように、精査カセット３３に収納されている紙幣が一枚ずつ繰り出され、同図に矢印（実線）で示すように、ループ搬送路４１１を通じて識別部２５に搬送される。そうして、識別部２５において再度、識別が行われた後に、正常紙幣は、元の収納カセット３１、つまり、精査対象の収納カセット３１に収納される。
【０１０４】
こうして、収納カセット３１に収納している紙幣が確定し、当該紙幣に関する記憶部５９内の在高や記番号リストが更新される。精査カセット３３から収納カセット３１に戻されているときに発生したリジェクト紙幣は、同図に矢印（破線）で示すように、一時保留部５１に搬送されて、そこに収納される。
【０１０５】
なお、リジェクト紙幣を一時保留部５１に搬送する搬送路と、精査カセット３３から紙幣を繰り出す搬送路とは、一部重複している。従って、識別部２５においてリジェクト紙幣と識別された場合には、いったん精査カセット３３からの紙幣の繰り出し処理を中断し、リジェクト紙幣を一時保留部５１に搬送した後に精査カセット３３からの紙幣の繰り出し処理を再開する。
【０１０６】
全精査処理では、収納カセット３１から精査カセット３３へ紙幣を移動させる際、そして、精査カセット３３から収納カセット３１へ紙幣を移動させる際のそれぞれにおいて、二重に計数処理を行うことができる（一次計数及び二次計数）。
【０１０７】
〔部分精査処理〕
部分精査処理は、収納カセット３１への紙幣の搬送中や、収納カセット３１からの紙幣の搬送中に異常が発生した場合に行われる。こうした異常によって、収納カセット３１内に収納している紙幣の枚数に誤差が発生する場合があるため、収納カセット３１内に収納している紙幣を確定させる必要がある。異常の例としては、複数の紙幣が重なって搬送される場合（重送）や、搬送中に紙幣が詰まった（ジャム）場合が挙げられる。
【０１０８】
重送やジャムが発生すると、収納カセット３１の在高が未確定になる。そのため、そのような収納カセット３１は部分精査処理を行って在高を確定させる必要がある。
【０１０９】
部分精査処理は、記番号リストを利用することによって、収納カセット３１に収納している紙幣の一部のみを繰り出すだけで、その収納カセット３１に収納している紙幣を確定させる処理である。全精査処理に比べて精査処理の負担が軽減され、処理に要する時間が大幅に短縮される。
【０１１０】
スタック式の収納カセット３１では、紙幣を収納する際に紙幣の順番が入れ替わる場合があり、その場合、紙幣を一枚だけ繰り出して、その記番号を特定したとしても収納カセット３１内の紙幣を正確に確定させることはできない。それに対し、この入出金機１Ａでは、複数枚の紙幣の記番号の照合を行うことにより、紙幣の順番が多少入れ替わっても正確に確定できるようになっている。部分精査処理では、精査処理に最低２枚繰り出す。本入出金機１Ａでは、繰り出し枚数が５枚に設定されている。なお、記番号の読み取りは、全桁または一部の桁で行われる。
【０１１１】
収納カセット３１から繰り出した紙幣は、全精査処理と同様に、搬送部４１によって識別部２５へと搬送し、そこにおいて、紙幣の識別をリアルタイムに行う。正常紙幣でかつ、記番号の読み取りが可能であった紙幣は、精査カセット３３に搬送してそこに収納する（図１２の（ａ）参照）。リジェクト紙幣は一時保留部５１に搬送する。そして、記番号の読み取りができた紙幣が５枚連続して収納カセット３１から繰り出されれば、紙幣の繰り出しを中止する。
【０１１２】
識別部２５で記番号の読み取り不能が発生した場合、代わりの紙幣が収納カセット３１から追加で繰り出される。例えば、繰り出した５枚のうち、３枚目の紙幣で読み取り不能が発生した場合には、新たに３枚の紙幣が追加され、４枚目から追加分の紙幣を含む連続する５枚の紙幣で部分精査される。また、リジェクト紙幣が発生した場合、少なくとも５枚の紙幣が追加で繰り出される。
【０１１３】
このようにして、記番号リストとの照合の対象となる５枚の対象グループが決定されれば、記番号リストとの照合を行い、記番号リスト上において、対象グループに対応するグループ（照合グループ）を決定する。対象グループは、収納カセット３１から繰り出した紙幣に対応するため、照合グループは、記番号リスト上において、収納カセット３１から繰り出した紙幣と、収納カセット３１に収納したままの紙幣との境界を示すことになる。従って、記番号リスト上において照合グループを特定すれば、その記番号リストに基づいて、収納カセット３１に収納している紙幣を確定することが可能になる。
【０１１４】
図１３を参照しながら、対象グループと記番号リストとの照合の手順の概略を説明する。例えば、収納カセット３１から繰り出した最後の紙幣を含む連続した５枚の紙幣の記番号である対象グループと記番号リストとの照合について考える。
【０１１５】
同図の記番号リストの「１２３４０」等は記番号であり、図の上側が収納順の上位を示している。括弧内の数字は、当該収納カセット３１での通し番号であり、これは収納カセット３１の収納枚数に対応する。識別通過記番号データは、識別部２５において読み取りを行った記番号の情報であり、図の上側は後で繰り出した紙幣である。これは収納順の記番号に相当する。
【０１１６】
先ず、記番号リストに含まれる上位の記番号、言い換えると、収納カセット３１において上側に集積されている紙幣から順に、対象グループに含まれる各記番号を照合する。これによって、対象グループの中で、記番号リストにおいて最も上位となる記番号を特定する。図例では「１２３４８」が最上位の記番号である。
【０１１７】
決定した最上位の記番号に対し、４枚分だけ下位の記番号（ここでは、最下位の記番号と呼ぶ）を特定する。図例では「１２３４４」が最下位の記番号である。そして、この最下位の記番号と全桁が一致する記番号が、対象グループに含まれているか否かを判定する。このときも、対象グループ内での記番号の順番は問わない。そうして、記番号リストにおける、最上位の記番号と最下位の記番号とで挟まれた３つの記番号について、記番号の順番は問わずに対象グループ内の記番号との照合を行う。このときの照合は記番号の一部の桁のみ一致を許容する。記番号の照合を、例えば３桁分マスクして行う。つまり、３桁分が一致しなくても、残りの桁が一致すれば、記番号が一致したと判定する。
【０１１８】
そうして、同図に示すように、記番号リスト上において、対象グループに含まれる記番号と一致する記番号が全て含まれる照合グループが特定される。その結果、記番号リストにおいて、照合グループを含むそれよりも上位の記番号の情報を削除する記番号リストの更新が行われる。この記番号リストの更新により、収納カセット３１に収納されている紙幣が確定する。
【０１１９】
その後は、図１２の（ｂ）に示したように、精査カセット３３内に収容している紙幣を一枚ずつ繰り出して、識別部２５に搬送する。識別部２５において、紙幣の識別を行い、記番号が読み取られた正常紙幣を元の収納カセット３１に収納する。リジェクト紙幣は一時保留部５１に搬送する。
【０１２０】
なお、部分精査では、収納カセット３１から精査カセット３３へ紙幣を移動させる際、そして、精査カセット３３から収納カセット３１へ紙幣を移動させる際のそれぞれにおいて、二重に計数処理を行うことができる（一次計数及び二次計数）。そうして、記憶部５９に記憶している在高を更新すると共に、精査対象の収納カセット３１の記番号リストを更新し、確定処理を終了する。
【０１２１】
（枚数計数処理）
枚数計数処理は、投入口２１１に投入された紙幣を識別、計数し、入出金機１Ａに設定されている金種の正常紙幣は第１出金口２３１に払い出し、それ以外の紙幣は第２出金口２３２に払い出す処理である。
【０１２２】
具体的には、図１４に例示するように、上位端末Ｔ等で所定の操作が行われることにより、枚数計数処理が開始され、投入口２１１への紙幣の投入待ち状態になる。投入口２１１への紙幣の投入が検知されると、上位端末Ｔ等によって枚数計数処理の開始が制御部５１３に指示され、同図に矢印（実線）で示すように、投入口２１１の紙幣が繰り出される。投入口２１１から繰り出された紙幣は、搬送部４１によって識別部２５に搬送され、識別される。識別の結果、同図に矢印（太実線）で示すように、正常紙幣は第１出金口２３１に払い出される。
【０１２３】
その他の紙幣、具体的には、入出金機１Ａの受け付け対象金種以外の紙幣やリジェクト紙幣は、同図に矢印（破線）で示すように、第２出金口２３２に払い出される。正常紙幣等の計数結果は、表示部５１１等において表示される。なお、第１出金口２３１及び第２出金口２３２の払い出し先は逆であってもよい。
【０１２４】
（整理計数処理）
整理計数処理は、投入口２１１に投入された紙幣を識別、計数し、入出金機１Ａに設定されている金種のうち、特定の金種の正常紙幣を第１出金口２３１に払い出し、それ以外の紙幣は第２出金口２３２に払い出す処理である。
【０１２５】
整理計数処理では、パターンが２つある。その１つは、上位端末Ｔ等で指定された金種のうち、識別部２５で最初に正常紙幣として識別された金種を整理計数処理の対象金種として扱い、上位端末Ｔ等から指定された枚数の該当金種の正常紙幣を第１出金口２３１に払い出す（パターン１）。もう一つは、上位端末Ｔ等から指定された金種を整理計数処理の対象金種として扱い、上位端末Ｔ等から指定された枚数の該当金種の正常紙幣を第１出金口２３１に払い出す（パターン２）。
【０１２６】
具体的には、上位端末Ｔ等で所定の操作が行われることにより、整理計数処理が開始され、投入口２１１への紙幣の投入待ち状態になる。投入口２１１への紙幣の投入が検知されると、上位端末Ｔ等の指示により整理計数処理が開始する。具体的な処理動作は、先の枚数計数処理と同様である。パターン１では識別部２５で最初に正常紙幣として識別された金種の正常紙幣を、また、パターン２では上位端末Ｔ等から指定された金種を、それぞれ、同図に矢印（太実線）で示すように、上位端末Ｔ等から指定枚数分だけ第１出金口２３１に払い出す。それ以外の紙幣は、同図に矢印（破線）で示すように、第２出金口２３２に払い出す。第１出金口２３１に払い出される紙幣が指定枚数になれば、整理計数処理は終了する。
【０１２７】
（精査カセット補充処理）
精査カセット補充処理は、精査カセット３３に収納されている紙幣を識別し、入出金機１Ａに設定されている金種のうち、正券のみを該当する収納カセット３１に収納し、それ以外の紙幣は第２出金口２３２に払い出す処理である。精査カセット補充処理によれば、精査カセット３３に補充したい紙幣をまとめて収納し、一括して該当する収納カセット３１に補充することができる。
【０１２８】
具体的には、上位端末Ｔ等で所定の操作が行われることにより、精査カセット補充処理が開始され、精査カセット補充指示待ちの状態となる。オペレータは第１開閉扉１３３を開いて、精査カセット３３に補充する紙幣をセットし、第１開閉扉１３３を閉じて元の状態に戻す。そうすると、上位端末Ｔ等から精査カセット補充指示により、補充処理が開始する。
【０１２９】
図１５に、精査カセット補充処理における入出金機１Ａの動作を示す。同図に示すように、搬送部４１は、同図に矢印（実線）で示すように、精査カセット３３から紙幣を繰り出し、識別部２５に搬送する。搬送部４１はまた、正券を、同図に矢印（実線）で示すように、その識別結果や予め設定された収納割当に従って、所定の収納カセット３１に収納する。損券やリジェクト紙幣や設定外金種の紙幣は、同図に矢印（破線）で示すように、第１出金口２３１又は第２出金口２３２に払い出す。例えば、損券は第２出金口２３２に払い出し、その他のリジェクト紙幣等は第１出金口２３１に選択的に払い出す。
【０１３０】
なお、第１出金口２３１等に搬送する搬送路は、精査カセット３３から繰り出される搬送路と一部重複している。従って、識別部２５においてリジェクト紙幣と識別された場合には、いったん精査カセット３３からの紙幣の繰り出し処理を中断し、リジェクト紙幣を第１出金口２３１等に搬送した後に精査カセット３３からの紙幣の繰り出し処理を再開する。
【０１３１】
（回収処理）
回収処理は、収納カセット３１に収納されている紙幣を、回収カセット５３に搬送する処理である。具体的には、上位端末Ｔ等において、所定の操作を行うことにより、回収処理は開始する。指定された金種を収納する収納カセット３１が、第１〜第３の収納カセット３１−１、３１−２、３１−３又は第４収納カセット上部３１−４Ｕであるときには、図１６に矢印（実線）で示すように、収納部３は、指定された金種の紙幣を、それが収納されている収納カセット３１から順次繰り出す。搬送部４１は、繰り出された紙幣を識別部２５に搬送する。識別部２５が識別を行った後に、正常紙幣は、ループ搬送路４１１から第２接続路４１９を通って回収カセット５３へと搬送され、そこに収納される。リジェクト紙幣は、同図に矢印（破線）で示すように一時保留部５１に収納される。
【０１３２】
指定された金種の紙幣が、第４収納カセット下部３１−４Ｌに収納されているときには、図１７の（ａ）に示すように、搬送部４１は、第４収納カセット下部３１−４Ｌから繰り出された紙幣を、第２接続路４１９からループ搬送路４１１を通じて識別部２５に搬送する。識別部２５が識別を行った後に、正常紙幣は、精査カセット３３へと搬送する。リジェクト紙幣は、同図に矢印（破線）で示すように、一時保留部５１に収納される。
【０１３３】
第４収納カセット下部３１−４Ｌから繰り出された紙幣が全て精査カセット３３に収納された後、同図の（ｂ）に矢印（実線）で示すように、精査カセット３３は紙幣を一枚ずつ繰り出す。搬送部４１は、その紙幣をループ搬送路４１１から第２接続路４１９を通って回収カセット５３へと搬送する。こうして、回収カセット５３内に、第４収納カセット下部３１−４Ｌ内の紙幣が収納される。
【０１３４】
（出金リジェクト搬送処理）
出金リジェクト搬送処理は、一時保留部５１に収納されている紙幣を識別した後、各収納カセット３１又は回収カセット５３に搬送する処理である。上位端末Ｔ等の指示、又は入出金機１Ａの判断に基づいて出金リジェクト搬送処理は行われる。出金リジェクト搬送処理では、パターンが３つある。その１つは、出金処理後、又は連続出金処理後に出金リジェクト搬送処理が行われる場合である（第１パターン）。別の１つは、出金処理中、又は連続出金処理中に出金リジェクト搬送処理が行われる場合である（第２パターン）。また別の１つは、全精査処理で出金リジェクト搬送処理が行われる場合である（第３パターン）。
【０１３５】
第１パターンの場合、出金処理中や連続出金処理中にリジェクト紙幣が発生すると、リジェクト紙幣は一時保留部５１に一時的に収納され、入出金機１Ａは待機状態となる。そこで、この場合、上位端末Ｔ等からの指示に基づき、一時保留部５１に収納されている紙幣を繰り出して識別し、収納カセット３１に割当が設定されている金種の正常紙幣を該当する収納カセット３１に収納する。その他の紙幣、具体的にはリジェクト紙幣や収納カセット３１に割当が設定されていない金種の紙幣は、回収カセット５３に搬送し、そこに収納する。
【０１３６】
第２パターンの場合、出金処理中や連続出金処理中に、一時保留部５１が満杯になると、一時保留部５１にリジェクト紙幣を収納できなくなる。従って、そのような状況が発生した場合、入出金機１Ａ、具体的には制御部５１３の判断により、繰り出しが行われている収納カセット３１において紙幣枚数の確定処理を行い、出金処理等の動作を中断する。そして、第１パターンと同様に、一時保留部５１から紙幣が繰り出され、正常紙幣は該当する収納カセット３１に収納され、その他の紙幣は回収カセット５３に収納される。
【０１３７】
第３パターンの場合、全精査処理中にリジェクト紙幣が発生すると、全精査処理の終了後には、一時保留部５１に紙幣が一時的に収納された状態になる。そこで、この場合も第１パターンと同様に一時保留部５１に収納された紙幣を繰り出して、収納カセット３１や回収カセット５３に収納する。
【０１３８】
（戻し入れ計数処理）
戻し入れ計数処理は、出金リジェクト搬送処理中にエラーが発生した場合に、復旧処理によって入出金機１Ａの外部に払い出された紙幣を回収カセット５３に戻し入れするのに用いられる。具体的には、投入口２１１に投入された紙幣を識別し、収納カセット３１に割当が設定されている金種の正常紙幣は、回収カセット５３に搬送する。その他の紙幣、例えば、リジェクト紙幣や収納カセット３１に割当が設定されていない金種の正常紙幣、回収カセット５３が満杯になった後に搬送される紙幣は、第１出金口２３１や第２出金口２３２に選択的に払い出される。
【０１３９】
なお、戻し入れ計数処理では、紙幣を回収カセット５３に搬送してもカウンタの更新は行わない。従って、収納カセット３１に割当が設定されている金種の正常紙幣であっても、回収カセット５３に加算されていない金種の正常紙幣は、第１出金口２３１等に払い出される。
【０１４０】
（リセット機能）
リセット機能は、上位端末Ｔ等からの指示、又は入出金機１Ａの判断により行う復旧のための機能である。リセット機能による処理は、例えば、搬送路上の紙幣除去、動作確認及び復帰、一時保留部５１内の紙幣の返却等のステップで構成されている。
【０１４１】
具体的には、ループ搬送路４１１等の搬送路上に紙幣が残っている場合には、搬送部４１が、低速で各搬送路上に残る紙幣を第１出金口２３２等に払い出す。そして、入出金機１Ａは、各機能部位の動作確認を行い、位置等が定位置からずれている場合には、定位置に復帰させる。識別部２５もリセットする。最後に、一時保留部５１内に紙幣がある場合には、その紙幣を第１出金口２３１等に払い出す。
【０１４２】
なお、入出金機１Ａは、通過センサ３１２等、各所に設置されたセンサがエラーを検出した場合には、エラーコードや、エラーを発生している要因（例えばジャム紙幣等）の除去が必要である場合には、その発生箇所の情報を上位端末Ｔ等に発信する。それにより、表示部５１１等には、エラーコード等に基づき、復旧作業を誘導するメッセージ等が表示されるので、オペレータは、その表示に従って入出金機１Ａを復旧させることができる。
【０１４３】
（カウンタ、記番号管理機能）
カウンタ、記番号管理機能は、入出金機１Ａ内にある紙幣の実枚数を、収納部位別に管理する機能である。上述した部分精査等において用いられている。図１８の（ａ）は、この入出金機１Ａの記憶部５９に設定されているカウンタの一覧を示している。各カセット３１、３３，５３への紙幣の収納時及び各カセット３１、３３，５３からの紙幣の繰出時に、リアルタイムに紙幣のカウントを行う現物在高として、第１〜第４の収納カセット３１、精査カセット３３及び回収カセット５３毎にカウンタが設定されている。各カウンタには、１２８金種が設定されかつ、１金種につき２バイトのサイズが割り当てられている。また、入金処理や出金処理が完了したときにカウントを行う機内在高として、１２８金種でかつ、１金種につき２バイトのサイズが割り当てられたカウンタが設定されている。これらのカウンタは、通過センサ３１２の検知結果に基づいて増減する。
【０１４４】
この入出金機１Ａの記憶部５９は、各部に収納している紙幣の記番号を、その収納順に並べると共に、各々の記番号を、その収納枚数に対応する通し番号に関連付けた記番号リストを記憶している。同図の（ｂ）は、この記番号リストの一覧を示している。第１〜第４収納カセット３１及び精査カセット３３については、それぞれ３０００枚分で、紙幣１枚につき１６バイトのサイズが割り当てられている。回収カセット５３については、５０００枚分で、紙幣１枚につき１６バイトのサイズが割り当てられ、出金部２３については、２２０枚分で、紙幣１枚につき１６バイトのサイズが割り当てられ、出金リジェクト一時保留部５１については、５２０枚分で、紙幣１枚につき１６バイトのサイズが割り当てられている。
【０１４５】
例えば、各収納カセット３１のカウンタは、その出入口３０００を通過する紙幣を通過センサ３１２が検知することで、その紙幣の金種の情報に基づき、その収納カセット３１の在高におけるその金種の枚数を加算又は減算する。各収納カセット３１の記番号も、その出入口３０００を通過する紙幣を通過センサ３１２が検知することで、その紙幣の記番号情報に基づき、その収納カセット３１の記番号リストに順に記憶、又は削除する。カウンタや記番号リストの更新は、上述したように、入金処理等、適宜、各処理の終了後に行われる。
【０１４６】
［第２の機種］
｛第２の機種の構成｝
図１９、図２０に、本機種の貨幣処理装置（単に、入出金機１Ｂともいう）の基本構成を示す。この入出金機１Ｂも、いわゆる循環式の入出金機である。以降の説明では（第３の機種も含む）、便宜上、第１の機種と同様の構成や機能については、同じ符号を用いてその説明を適宜省略する。
【０１４７】
入出金機１Ｂの基本構成は入出金機１Ａとほぼ同様である。具体的には、入出金機１Ｂも、上部の処理部１１と、中間部の第１金庫部１３と、下部の第２金庫部１４とに大別される。処理部１１を構成する上部筐体内には、投入口２１１を有する入金部２１や出金口２３１を有する出金部２３、識別部２５、一時保留部５１、ループ搬送路４１１を含む搬送部４１が配設されている。上部筐体１１１の下側の防護筐体１３１は、第１及び第２金庫部１３，１４を構成している。防護筐体１３１は上部筐体１１１よりもセキュリティレベルが高く設定されている。
【０１４８】
入出金機１Ｂは、入出金機１Ａと比べて、例えば、出金部２３が１つである点や、精査カセット３３が無く、その代わりに収納カセット３１が設置されている点などで構成が相違している。また、図示例の入出金機１Ｂでは、第２金庫部１４や回収カセット５３が備えられているが、入出金機１Ｂでは、これらが備えられていないタイプも存在する（別タイプ）。これら構成の相違により、入出金機１Ｂでは、入出金機１Ａと比べて、一部の機能が異なり、また、同じ機能であってもその内容が異なる場合がある。
【０１４９】
図示例の入出金機１Ｂでは、第１金庫部１３に、５個のスタック式の収納カセット３１を含む収納部３が配設され、第２金庫部１４には、回収カセット５３が配設されている。防護筐体１３１の前面には、第１金庫部１３を開閉する第１開閉扉１３３と、第２金庫部１４を開閉する第２開閉扉１３５とがある。入出金機１Ａと同様に、第１開閉扉１３３の前面には、これを施錠する第１電子錠１３３１が設けられ、第２開閉扉１３５の前面には、これを施錠する第２電子錠１３３２が設けられている。
【０１５０】
識別部２５や搬送部４１、入金部２１、出金部２３、収納カセット３１、一時保留部５１、回収カセット５３等の基本的な構成は、入出金機１Ａの識別部２５等と同じである。ただし、入出金機１Ｂでは出金口が１つであるため、ここではその出金口を入出金機１Ａの第１出金口２３１として扱う。また、入出金機１Ａの精査カセット３３の設置部位には、精査カセット３３に代えて第５の収納カセット３１（３１−５）が配設されている。
【０１５１】
図２１に、入出金機１Ｂの動作制御に係る構成を示す。精査カセット３３に代わって第５の収納カセット３１−５が制御部に接続されている点を除けば、入出金機１Ｂの係る構成も入出金機１Ａとほぼ同じである。各部位の基本的な機能も同様である。
【０１５２】
｛第２の機種の機能｝
次に、入出金機１Ｂが有する各種処理機能について説明する。入出金機１Ｂも、出金等の各種計数処理を行う機能や、その他の縮退機能等を有している。ただし、バイパス入金処理や釣銭準備処理、バイパス出金処理、連続出金処理は、出金口が１つであるため行えない。また、精査カセット補充処理や全精査処理は、精査カセット３３が無いため行えない。
【０１５３】
（縮退機能）
縮退機能は、入出金機１Ｂに故障が発生した場合に、故障部位を切り離すことによって継続して使用できるようにする機能である。指示縮退や自動縮退があり、その詳細は入出金機１Ａと同様である。
【０１５４】
（カウンタ、記番号管理機能）
入出金機１Ｂも入出金機１Ａと同様に、カウンタ、記番号管理機能を有している。その詳細は入出金機１Ａと同様である。
【０１５５】
（直接入金処理）
直接入金処理は、入出金機１Ａと同様に、入出金機１Ｂに入金（収納）された正常紙幣を直接的に収納カセット３１に収納する処理である。投入口２１１に投入された紙幣は、識別部２５による識別結果と、予め設定された収納割当とに従って、いずれかの収納カセット３１に収納される。
【０１５６】
図２２に、入出金機１Ｂにおける入金処理時の動作を示す。入金する紙幣を投入口２１１に投入した状態で、例えば上位端末Ｔ等の操作によって入金処理の開始コマンドを、入出金機１Ｂに入力する。入金部２１の繰り出し機構は、同図に矢印（実線）で示すように、投入口２１１の紙幣を一枚ずつ繰り出し、搬送部４１は、各紙幣を識別部２５に搬送する。識別部２５は、その紙幣の識別を行う。搬送部４１は、正常紙幣を、同図に矢印（実線）で示すように、その識別結果及び予め設定された収納割当に従って、所定の収納カセット３１に収納する。
【０１５７】
収納カセット３１に割当が設定されていない金種の紙幣（正常紙幣）や損券、オーバーフロー紙幣は、回収カセット５３に収納される。リジェクト紙幣は、同図に矢印（破線）で示すように、出金口２３１に払い出す。出金口２３１が満杯になった場合には、紙幣の抜き取り待ちとなる。出金口２３１から紙幣が抜き取られると、入金処理が再開する。
【０１５８】
なお、オーバーフロー紙幣は、回収カセット５３に収納せずに、出金口２３１に払い出すようにしてもよい。
【０１５９】
（枚数計数処理）
枚数計数処理は、投入口２１１に投入された紙幣を識別、計数し、入出金機１Ｂに受入が設定されている金種の正常紙幣は出金口２３１に払い出し、それ以外の紙幣は一時保留部５１に一時収納する処理である。入出金機１Ｂは、入出金機１Ａと異なり、出金口は出金口２３１しかないため、一時保留部５１を利用することでこの処理を実現している。
【０１６０】
具体的には、図２３に例示するように、上位端末Ｔ等で所定の操作が行われることにより、枚数計数処理が開始され、投入口２１１への紙幣の投入待ち状態になる。投入口２１１への紙幣の投入が検知されると、上位端末Ｔ等によって枚数計数処理の開始が制御部５１３に指示され、同図に矢印（実線）で示すように、投入口２１１の紙幣が繰り出される。投入口２１１から繰り出された紙幣は、搬送部４１によって識別部２５に搬送され、識別される。
【０１６１】
識別の結果、同図に矢印（太実線）で示すように、正常紙幣は第１出金口２３１に払い出される。その他の紙幣、具体的には、受付対象外の金種の紙幣やリジェクト紙幣は、同図に矢印（破線）で示すように、一時保留部５１に搬送され、そこに収納される。正常紙幣等の計数結果は表示部５１１等に表示される。なお、枚数計数処理を行う前には、後述する出金リジェクト搬送処理を行って、一時保留部５１から紙幣を払い出しておくのが好ましい。
【０１６２】
（入金口補充処理）
入金口補充処理は、収納カセット３１に外部から紙幣を補充する処理である。入出金機１Ａと同様に、正券のみを各収納カセット３１に補充することができる。具体的には、図２４に示すように、投入口２１１に投入された紙幣を識別し、割当対象金種の正券のみを該当する収納カセット３１に収納し、それ以外の紙幣、例えば損券やリジェクト紙幣は出金口２３１に払い出す。
【０１６３】
入出金機１Ｂにおける入金口補充処理は入出金機１Ａと基本的には同様である。搬送部４１は、同図に矢印（実線）で示すように、識別部２５において、各収納カセット３１に割り当てられた金種の正券と識別された紙幣のみを該当する各収納カセット３１に搬送する。それ以外の紙幣は、同図に矢印（破線）で示すように出金口２３１に搬送する。
【０１６４】
（出金処理）
出金処理は、入出金機１Ｂに収納されている紙幣を払い出す処理である。具体的には、上位端末Ｔ等において、金種や枚数を指定する所定の出金操作を行うことにより、出金処理は開始する。
【０１６５】
図２５に、出金処理時における入出金機１Ｂの動作を示す。同図の矢印（実線）が示すように、収納部は、指定された金種の紙幣を、それが収納されている収納カセットから指定された枚数だけ繰り出す。搬送部４１は、繰り出された紙幣を、ループ搬送路４１１等を通じて識別部２５に搬送する。識別部２５が識別を行った後、正常紙幣は出金口２３１に払い出される。
【０１６６】
リジェクト紙幣は、同図に矢印（破線）で示すように、一時保留部５１に搬送され、そこに収納される。一時保留部５１に収納された紙幣は、必要に応じて、出金処理の終了後に、各収納カセット３１又は回収カセット５３に収納される。
【０１６７】
（リジェクト紙幣放出処理）
リジェクト紙幣放出処理は、各収納カセット３１に残留するリジェクト紙幣を入出金機１Ｂの外に払い出して各収納カセット３１を空にする場合に用いられる。具体的には、リジェクト紙幣放出処理では、各収納カセット３１に残留するリジェクト紙幣は出金口２３１に払い出される。すなわち、搬送部４１は、識別部２５で識別された紙幣を、識別結果に関係なく選択された出金口２３１に搬送する。
【０１６８】
（出金リジェクト搬送処理）
出金リジェクト搬送処理は、入出金機１Ａと同様に、一時保留部５１に収納された紙幣を識別した後、各収納カセット３１又は回収カセット５３に搬送する処理である。なお、回収カセット５３の無い別タイプは本処理の対象外である。
【０１６９】
上位端末Ｔ等の指示、又は入出金機１Ｂの判断に基づいて、出金リジェクト搬送処理は行われる。入出金機１Ｂでは、出金リジェクト搬送処理のパターンが２つある。出金処理後に出金リジェクト搬送処理が行われる場合（第１パターン）と、出金処理中に出金リジェクト搬送処理が行われる場合である（第２パターン）。第１パターンや第２パターンの処理の詳細は、入出金機１Ａの第１パターンの処理等と同様である。
【０１７０】
（戻し入れ計数処理）
戻し入れ計数処理は、入出金機１Ａと同様に、出金リジェクト搬送処理中にエラーが発生した場合に、復旧処理によって入出金機１Ｂの外部に払い出された紙幣を回収カセット５３に戻し入れするのに用いられる。出金リジェクト搬送処理と同じく、回収カセット５３の無い別タイプは本処理の対象外である。
【０１７１】
具体的には、投入口２１１に投入された紙幣を識別し、収納カセット３１に割当のある金種の正常紙幣は、回収カセット５３に搬送する。その他の紙幣、例えば、リジェクト紙幣や収納カセット３１に割当のない金種の正常紙幣、回収カセット５３が満杯になった後に搬送される紙幣は、出金口２３１に払い出される。また、紙幣を回収カセット５３に搬送してもカウンタの更新は行わない。
【０１７２】
（回収処理）
回収処理は、収納カセット３１に収納されている紙幣を、回収カセット５３に搬送する処理である。具体的には、上位端末Ｔ等において、所定の操作を行うことにより、回収処理は開始する。入出金機１Ｂでも、基本的な処理内容は入出金機１Ａと同様であるが、第４収納カセット下部３１−４Ｌについては、入出金機１Ａのような一次搬送先が無いため、処理対象外である。
【０１７３】
図２６に、回収処理時における入出金機１Ｂの動作を示す。同図の矢印（実線）で示すように、回収の対象が、第１〜第３の収納カセット３１−１、３１−２、３１−３か、第４の収納カセット上部３１−４Ｕの場合、収納部は、指定された金種の紙幣を、それが収納されている収納カセットから順次繰り出す。搬送部４１は、繰り出された紙幣を識別部２５に搬送する。識別部２５で識別された正常紙幣は、ループ搬送路４１１から回収カセット５３へと搬送され、回収カセット５３内に収納される。識別部２５で識別されたリジェクト紙幣は、同図に矢印（破線）で示すように、一時保留部５１に収納される。
【０１７４】
図２７に矢印（実線）で示すように、回収の対象が第５の収納カセット３１−５の場合、第５の収納カセット３１−５から繰り出された紙幣は、先とは逆向きにループ搬送路４１１を通って識別部２５に搬送される。識別部２５で識別された正常紙幣は、同じく逆向きの搬送方向でループ搬送路４１１から回収カセット５３へと搬送され、そこに収納される。識別部２５で識別されたリジェクト紙幣は、同図に矢印（破線）で示すように、一時保留部５１に収納される。
【０１７５】
（部分精査処理）
精査処理は、入出金機１Ａで説明したように、収納カセット３１に収納されている紙幣を確定させるための処理である。この入出金機１Ｂでは、精査カセット３３が無く、全精査処理は行えないので、一時保留部５１を利用した部分精査処理により精査処理を行う。
【０１７６】
図２８に、入出金機１Ｂにおける精査処理の動作を示す。同図の（ａ）に示すように、精査対象の収納カセット３１（図例では、第１収納カセット３１−１）から、紙幣を一枚ずつ繰り出す。搬送部４１は、繰り出された紙幣を識別部２５に搬送し、識別部２５が識別を行う。そして、複数枚（例えば５枚）の正常紙幣（これらが対象グループとなる）が、連続して収納カセット３１から繰り出されれば、紙幣の繰り出しを中止する。正常紙幣は、一時保留部５１へと搬送され、そこに収納される。一方、リジェクト紙幣は、同図に矢印（破線）で示すように、出金口２３１へ払い出される。
【０１７７】
そうして、入出金機１Ａで説明したように、対象グループと記番号リストとを照合する。その結果、記番号リスト上において、対象グループに含まれる記番号と一致する記番号が全て含まれる照合グループが特定されれば、記番号リストを更新することにより、収納カセット３１に収納されている紙幣が確定する。
【０１７８】
その後は、同図の（ｂ）に示したように、一時保留部５１内に収容している紙幣を一枚ずつ繰り出して、識別部２５に搬送する。識別部２５において、紙幣の識別を行い、同図に矢印（実線）で示すように、記番号が読み取られた正常紙幣を元の収納カセット３１に収納する。リジェクト紙幣は、同図に矢印（破線）で示すように、出金口２３１へ払い出される。なお、リジェクト紙幣を出金口２３１に搬送する搬送路と、一時保留部５１から紙幣を繰り出す搬送路とは、一部重複している。従って、識別部２５においてリジェクト紙幣と識別された場合には、いったん一時保留部５１からの紙幣の繰り出し処理を中断し、リジェクト紙幣を出金口２３１に搬送した後に一時保留部５１からの紙幣の繰り出し処理を再開する。また、出金口２３１に搬送されたリジェクト紙幣は、権限者によって取り出され、マニュアル処理が行われる。
【０１７９】
（返却処理）
返却処理は、一時保留部５１内にある紙幣を出金口２３１に払い出す処理である。例えば、復旧時や、部分精査処理でリジェクト紙幣が発生した場合、一時保留部５１が満杯になった場合、枚数計数処理や部分精査処理の前に一時保留部５１を空にする際に行われる。
【０１８０】
図２９に、入出金機１Ｂにおける返却処理の動作を示す。返却処理では、同図に矢印（実線）で示すように、一時保留部５１内にある紙幣を識別せず、直接出金口２３１に払い出す。すなわち、搬送部４１は、ループ搬送路４１１を通じて識別部２５には搬送せず、最短経路で出金口２３１に搬送する。
【０１８１】
［第３の機種］
｛第３の機種の構成｝
図３０及び図３１に、本機種の貨幣処理装置（入出金機１Ｃともいう）を示す。この入出金機１Ｃもまた、循環式の入出金機である。
【０１８２】
入出金機１Ｃは、上側の処理部１１と、下側の金庫部１３とに大別される（この機種の金庫部は、機能的に第１の機種等の第１金庫部１３に相当する）。処理部１１を構成する筐体１１１内には、投入口２１１を有する入金部２１と、出金口２３１を有する出金部２３と、識別部２５と、ループ搬送路４１１を含む搬送部４１と、が配設されている。
【０１８３】
金庫部１３を構成する防護筐体１３１内には、複数の（図例では８個の）巻き取り方式の収納モジュール３１（第１の機種等の収納カセット３１に相当する）を含んで構成された収納部３と、ループ搬送路４１１と各収納モジュール３１とを互いに接続する搬送路４３１を含む金庫部側搬送部４３と、が配設されている。防護筐体１３１の前面には、金庫部１３を開閉するための開閉扉１３３や電子錠１３３１が設けられている。
【０１８４】
識別部２５は、入出金機１Ａと同様の構成、機能を有し、紙幣の真偽や金種、正損を識別する。但し、この機種の場合、記番号を認識する機能は必須ではない。本実施形態の識別部２５は、紙幣の識別及び計数を行うものとする（識別及び計数を包括的に識別ともいう）。
【０１８５】
搬送部４１（金庫部側搬送部４３と区別するため、処理部側搬送部４１ともいう）は、処理部側筐体１１１内にループ搬送路４１１を備えている。ループ搬送路４１１と投入口２１１との間は、投入路４１３によって互いに接続されている。ループ搬送路４１１にはまた、分岐機構４１７の動作により、ループ搬送路４１１上を搬送されている紙幣を選択的に出金口２３１に搬送する払出路４１５が接続されている。
【０１８６】
ループ搬送路４１１には、また別の複数の分岐機構が設けられている。具体的には、第１の分岐機構４１９は、ループ搬送路４１１と金庫部側搬送部４３の搬送路４３１との接続位置に設けられている。第１の分岐機構４１９は、ループ搬送路４１１上を時計回り方向又は反時計回りに搬送されている紙幣を、選択的に、金庫部側搬送部４３の搬送路４３１に送るか、又は、収納部３から繰り出されかつ、搬送路４３１に沿って搬送されてきた紙幣を、ループ搬送路４１１上で時計回り方向に搬送させるか、若しくは、反時計回り方向に搬送させるかの切り替えを行う。
【０１８７】
また、第２の分岐機構４１１１は、ループ搬送路４１１と接続路４１１５との接続位置に設けられている。接続路４１１５は、仮想的に示す一時保留部５１と、ループ搬送路４１１とを互いに連結する。第２の分岐機構４１１１は、ループ搬送路４１１上を時計回り方向又は反時計回りに搬送されている紙幣を、接続路４１１５に送るか、又は、一時保留部５１から繰り出した紙幣を、ループ搬送路４１１上で時計回り方向に搬送させるか、若しくは、反時計回り方向に搬送させるかの切り替えを行う。
【０１８８】
さらに、第３の分岐機構４１１３は、ループ搬送路４１１とカセット接続路４１１７との接続位置に設けられている。カセット接続路４１１７は、仮想的に示す回収カセット５３と、ループ搬送路４１１とを互いに連結する。第３の分岐機構４１１３は、ループ搬送路４１１上を時計回り方向又は反時計回りに搬送されている紙幣を、選択的にカセット接続路４１１７に送るように動作する。
【０１８９】
収納部３は、前述したように、図例では第１〜第８の巻き取り方式（言い換えると、テープ式）の収納モジュール３１−１〜３１−８を含んで構成されている。ここで、各々の収納モジュールを総称する場合には、符号「３１」を付し、第１、第２、第３…の、各々の収納モジュールを区別する場合には、符号「３１−１、３１−２、３１−３…」を付す。尚、収納モジュール３１の数は特に限定されず、１個以上で、適宜の数を設定すればよい。８個の収納モジュール３１は、この例では、装置の奥行き方向に４個並んで１列を構成すると共に、その列が上下方向に２列を構成するように積み重ねられている。
【０１９０】
各収納モジュール３１は、例えば、１つの収納モジュール３１に１つの収納可能な金種を割り当てることにより、各収納モジュール３１を金種別に用いることができる（単金種設定）。また、１つの収納モジュール３１に複数の金種を割り当てることにより、その収納モジュール３１に複数の金種を混合して収納させることもできる（混合巻き金種設定）。収納部３は、単金種設定の収納モジュール３１だけで構成することができ、また、単金種設定の収納モジュール３１に混合巻き金種設定の収納モジュール３１を含ませて構成することもできる。なお、特に言及しない限り、入出金機１Ｃでは単金種設定がされているものとする。
【０１９１】
この巻き取り方式の収納モジュール３１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。
【０１９２】
いずれの構成においても、巻き取り方式の収納モジュール３１は、紙幣を一枚ずつ巻き取って収納すると共に、その収納した順番とは逆順で、紙幣を一枚ずつ繰り出す、いわゆる先入れ後出しとなるように紙幣を収納する。各収納モジュール３１にはまた、その筐体の内外を連通するように形成された出入口３０００の近傍に、第１の機種等の通過センサ３１２に相当する、紙幣の通過を検知する検知センサが設けられている（図示省略）。
【０１９３】
金庫部側搬送部４３の搬送路４３１は、処理部側搬送部４１のループ搬送路４１１と同様に、ローラ、ベルト及びガイドの組み合わせによって構成されており、この搬送路４３１もまた、紙幣を一枚ずつ短手搬送する。搬送路４３１は、ループ搬送路４１１上の第１の分岐機構４１９から、鉛直下向きに延びると共に、その下端部において、奥行き方向の手前側及び奥側のそれぞれに分岐している。奥側に向かって延びる分岐路は、上下に積み重ねられた２列の収納モジュール３１の間に配設されている。各収納モジュール３１は、この分岐路上に設けられた振分機構４３３を介して分岐路に接続されている。各振分機構４３３は、制御部５１３によって駆動制御され、それにより、紙幣が、識別部２５によって識別された金種や正損等に応じて複数の収納モジュール３１に振り分けられて収納される。
【０１９４】
この入出金機１Ｃでは、紙幣を一時的に保留する一時保留部５１と、金庫部１３の防護筐体１３１内に着脱可能に取り付けられる回収カセット５３とが、オプションで装着できるように構成されている。
【０１９５】
一時保留部５１は、図３１に二点鎖線で示すように、処理部側筐体１１１内における、奥行き方向の手前側に設けられた空きスペース内に装着される。一時保留部５１は、前述したように、接続路４１１５を介して、第２の分岐機構４１１１に接続される。一時保留部５１は、この例では、前述した収納モジュール３１と同様に、２枚のテープを利用した巻き取り方式であり、紙幣の順番を入れ替えることなく、先入れ後出しとなるように紙幣を収納する。
【０１９６】
回収カセット５３は、図３１に二点鎖線で示すように、防護筐体１３１内における、奥行き方向の手前側に設けられた空きスペース内に、着脱可能に装着される。回収カセット５３は、前述したように、カセット接続路４１１７を介して、ループ搬送路４１１上の第３の分岐機構４１１３に接続されている。回収カセット５３は、巻き取り式の収納モジュール３１や一時保留部５１とは異なり、その内部に昇降する集積台を備えかつ、この集積台上に紙幣を重ねて収納するように構成されている。
【０１９７】
回収カセット５３に収納された紙幣は、そこから繰り出すことはできない。回収カセット５３には、オーバーフロー紙幣が収納される。また、出金処理時等にリジェクト紙幣が、回収カセット５３に収納される場合もある。回収カセット５３が未装着のときには、オーバーフロー紙幣やリジェクト紙幣は、出金口２３１に払い出される。
【０１９８】
なお、防護筐体１３１内の空きスペースには、回収カセット５３の代わりに、巻き取り式の収納モジュール３１が追加して装着される場合がある。追加の収納モジュール３１は、例えば、２個のモジュールが上下に積み重ねられて配設され、これら２個の収納モジュール３１はそれぞれ、搬送路４３１の下端から奥行き方向の手前側に延びる分岐路に対し、前述した振分機構を介して接続される。
【０１９９】
図３２は、入出金機１Ｃの動作制御に係る構成を示している。制御部５１３には、入金部２１、出金部２３、第１−第ｎの収納モジュール３１を含む収納部３、処理部側搬送部４１、及び金庫部側搬送部４３が、信号の送受信可能に接続されている。制御部５１３には、第１の機種等の通過センサ３１２のように、搬送路を搬送されている紙幣を検知するといった機能を有する各種のセンサも接続されており（図示省略）、各種センサの検知信号が制御部５１３に入力される。制御部５１３は、入力された検知信号等に基づいて制御信号を出力し、各部２１，２３，３，４１，４３は、その制御信号に従って動作をする。
【０２００】
制御部５１３にはまた、識別部２５や操作部５５、通信部５７、記憶部５９が接続されている。記憶部５９は、入出金機１Ｃが収納している紙幣の金種別枚数又は金額である在高を少なくとも記憶する。また、記憶部５９は、収納モジュール３１毎の在高も記憶する。
【０２０１】
一時保留部５１や回収カセット５３が、この入出金機１Ｃに装着されるときには、これら機器５１，５３もまた、制御部５１３に接続され、制御部５１３が出力する制御信号に従って動作をする。また、表示部５１１もオプション機器として制御部５１３に接続することができる。
【０２０２】
制御部５１３は、通信部５７を通じて受けた上位端末Ｔからの指令、及び／又は、操作部５５を通じて受けた各種の指令に応じて、各部２１，２３，２５，３，４１，４３，５１，５３，５５，５７，５９，５１１の動作を制御する。そうすることで、入出金機１Ｃは、入金処理等の各種計数処理や、その他の処理を行う機能を有している。以下、入出金機１Ｃの主な機能について説明する。
【０２０３】
｛第３の機種の機能｝
入出金機１Ｃは、入出金機１Ａと同様に、ＬＥＤ表示機能や省電力機能、縮退機能、占有機能を有している。また、入出金機１Ｃは、直接入金処理等、入出金機１Ａと同様の計数処理機能を有しているが、構造上の違いにより、処理内容に異なる点があるため、それぞれの処理について次に説明する。
【０２０４】
（直接入金処理）
直接入金処理は、入出金機１Ｃに紙幣を入金（収納）する処理である。投入口２１１に投入された紙幣は、識別部２５による識別結果と、予め設定された収納割当とに従って、いずれかの収納モジュール３１に収納される。
【０２０５】
図３３に、入金処理時における入出金機１Ｃの動作を示す。入金する紙幣を投入口２１１に投入した状態で、例えば上位端末Ｔ等の操作によって入金処理の開始コマンドを、入出金機１Ｃに入力する。同図に矢印（実線）で示すように、入金部２１は、投入口２１１の紙幣を一枚ずつ繰り出し、処理部側搬送部４１は、各紙幣を識別部２５に搬送する。識別部２５は、その紙幣の識別を行う。
【０２０６】
正常紙幣は、処理部側搬送部４１により、ループ搬送路４１１から、第１の分岐機構４１９を通って金庫部側搬送部４３へと搬送される。金庫部側搬送部４３は、識別部２５による識別結果、及び、予め設定された収納割当に従って、正常紙幣を所定の収納モジュール３１に収納する。すなわち、正常紙幣は、金種別や正損別に応じて、いずれかの収納モジュール３１に収納される。
【０２０７】
リジェクト紙幣は、処理部側搬送部４１により、同図に矢印（破線）で示すように、ループ搬送路４１１から分岐機構４１７を通って払出路４１５へと搬送される。そうして、リジェクト紙幣は、出金口２３１に払い出される。尚、入金処理時に発生したリジェクト紙幣は、投入口２１１に再投入され、識別が再度行われる。
【０２０８】
オーバーフロー紙幣は、出金口２３１に払い出される。入出金機１Ｃに回収カセット５３が装着されているときには、オーバーフロー紙幣は、回収カセット５３に収納される。入金処理の終了後には、記憶部５９に記憶している在高が更新される。
【０２０９】
（入金処理）
入金処理は、一時保留部５１が入出金機１Ｃに装着されている場合に、紙幣を直接収納モジュール３１に収納せずに、いったん一時保留部５１に収納し、計数結果を確認してから所定の収納モジュール３１に収納することができる処理である。
【０２１０】
図３４に、その入金処理の動作例を示す。この場合、正常紙幣は、同図に矢印（実線）で示すように、ループ搬送路４１１から第２の分岐機構４１１１を通って一時保留部５１に搬送され、そこに収納される。尚、リジェクト紙幣は、出金口２３１に払い出される。
【０２１１】
そうして、投入口２１１に投入された紙幣が全て繰り出され、入金される紙幣の識別が全て完了すると、上位端末Ｔ等に計数結果が表示される。オペレータは、その計数結果を確認し、上位端末Ｔ等において所定の収納操作を行う。これにより、同図に矢印（破線）で示すように、一時保留部５１は、そこに収納している紙幣を一枚ずつ繰り出す。処理部側搬送部４１は、各紙幣を、ループ搬送路４１１から第１の分岐機構４１９を通って、金庫部側搬送部４３へと搬送する。
【０２１２】
金庫部側搬送部４３は、識別部２５による識別結果、及び、予め設定された収納割当に従い、各紙幣を、金種別や正損別に応じて収納モジュール３１に収納する。尚、オペレータが、収納操作ではなく、所定のキャンセル操作を行ったときには、一時保留部５１に収納されている紙幣は、出金口２３１に払い出される。
【０２１３】
（整理計数処理）
整理計数処理は、投入口２１１に投入された紙幣を識別、計数し、識別部２５で最初に正券として識別された金種を整理計数処理の対象金種として選定し、対象金種は一時保留部５１に収納し、それ以外の紙幣は出金口２３１に払い出す処理である。本処理は、一時保留部５１が入出金機１Ｃに装着されている場合に利用できる。
【０２１４】
図３５に、本処理の動作を示す。入金する紙幣を投入口２１１に投入した状態で、例えば上位端末Ｔ等で所定の操作が行われることにより、整理計数処理が開始する。同図に矢印（実線）で示すように、入金部２１は、投入口２１１の紙幣を一枚ずつ繰り出し、処理部側搬送部４１は、各紙幣を識別部２５に搬送する。識別部２５は、その紙幣の識別を行う。
【０２１５】
そして、識別部２５で最初に正券として識別された金種の正常紙幣を、処理部側搬送部４１は、同図に矢印（太実線）で示すように、一時保留部５１に搬送し、そこに収納する。それ以外の紙幣は、同図に矢印（破線）で示すように、全て出金口２３１に払い出される。一時保留部５１に収納された対象金種の紙幣は、後述する返却処理により、出金口２３１に払い出される。
【０２１６】
この入出金機１Ｃは、紙幣の方向を識別することができる紙幣の方向確認機能を有している。従って、整理計数の際に、この方向確認機能を用いれば、更に同じ向きの紙幣のみを選び出して一時保留部５１に収納することができ、対象金種の紙幣の向きを揃えることができる。
【０２１７】
（枚数計数処理）
枚数計数処理は、投入口２１１に投入された紙幣を識別、計数し、出金口２３１に払い出す処理である。
【０２１８】
図３６に、本処理の動作を示す。処理する紙幣を投入口２１１に投入した状態で、例えば上位端末Ｔ等で所定の操作が行われることにより、枚数計数処理が開始する。同図に矢印（実線）で示すように、入金部２１は、投入口２１１の紙幣を一枚ずつ繰り出し、処理部側搬送部４１は、各紙幣を識別部２５に搬送する。識別部２５は、その紙幣の識別を行う。同図に矢印（太実線）で示すように、識別された紙幣は全て出金口２３１に払い出される。識別、計数の結果は表示部５１１等において表示される。
【０２１９】
（収納処理）
収納処理は、一時保留部５１に収納されている紙幣を収納カセット３１に収納する処理や、回収カセット５３が入出金機１Ｃに装着されている場合には回収カセット５３に収納する処理である。従って、本処理は、一時保留部５１が入出金機１Ｃに装着されている場合に用いられる。
【０２２０】
図３７に、本処理の動作を示す。例えば上位端末Ｔ等で所定の操作が行われることにより、収納処理が開始する。収納処理が開始すると、一時保留部５１は、同図に矢印（実線）で示すように、紙幣を処理部側搬送部４１に繰り出す。繰り出された紙幣は、処理部側搬送部４１によって識別部２５に搬送され、識別される。識別された紙幣は、その識別結果に基づき、処理部側搬送部４１、金庫部側搬送部４３を経て所定の収納モジュール３１に収納される。
【０２２１】
リジェクト紙幣や、収納先の収納モジュール３１が満杯で収納できない紙幣など、収納モジュール３１に搬送できない紙幣は、回収カセット５３があれば回収カセット５３に搬送して収納し、回収カセット５３が無ければ、同図に矢印（破線）で示すように、出金口２３１に払い出す。
【０２２２】
（返却処理）
返却処理は、一時保留部５１に収納されている紙幣を出金口２３１に払い出す処理である。従って、本処理も、一時保留部５１が入出金機１Ｃに装着されている場合に用いられる。また、本処理は、整理計数処理と組み合わせて用いることができる。
【０２２３】
図３８に、本処理の動作を示す。例えば上位端末Ｔ等で所定の操作が行われることにより、返却処理が開始する。返却処理が開始すると、同図に矢印（実線）で示すように、一時保留部５１は、紙幣を処理部側搬送部４１に繰り出す。繰り出された紙幣は、識別部２５に搬送することなく、最短経路で出金口２３１に払い出される。
【０２２４】
（ロールバック処理）
ロールバック処理は、指示された収納モジュール３１から指示された枚数の紙幣を出金して識別し、正券を出金口２３１に払い出す処理である。
【０２２５】
図３９に、本処理の動作を示す。例えば上位端末Ｔ等で所定の操作が行われることにより、ロールバック処理が開始する。ここでは、収納モジュール３１−７が指定された場合を例示している。ロールバック処理が開始すると、同図に矢印（実線）で示すように、収納モジュール３１−７から紙幣が繰り出され、繰り出された紙幣は、金庫部側搬送部４３、処理部側搬送部４１により、識別部２５に搬送され、識別される。そして、識別部２５で正券と識別された紙幣は、出金口２３１に払い出される。この一連の処理が指示された枚数が払い出されるまで繰り返えされる。
【０２２６】
ロールバック処理の途中で、リジェクト紙幣が発生した場合、回収カセット５３が利用可能である場合には、同図に矢印（破線）で示すように、リジェクト紙幣は回収カセット５３に搬送され、そこに収納される。その後、指示された枚数が払い出されるまで、一連の処理が続けて行われる。回収カセット５３が未装着、回収カセット５３が縮退状態にあるなど、回収カセット５３が利用不能である場合には、リジェクト紙幣も出金口２３１に払い出される。この場合、リジェクト紙幣分の新たな紙幣は再出金せず、オペレータにその旨を知らせる警告が発せられる。
【０２２７】
（出金処理）
出金処理は、該当する収納モジュール３１から紙幣を出金して識別し、正券を払い出す処理である。
【０２２８】
図４０に、本処理の動作を示す。上位端末Ｔ等において、金種や枚数を指定する所定の出金操作を行うことによって出金処理は開始する。同図に矢印（実線）で示すように、指定された金種の紙幣が収納モジュール３１から指定された枚数だけ繰り出される。金庫部側搬送部４３は、繰り出された紙幣を、処理部側搬送部４１へと搬送する。処理部側搬送部４１は、各紙幣を識別部２５に搬送し、識別部２５が識別を行った後に、出金部２３へと搬送する。そうして、出金口２３１に各紙幣が払い出される。
【０２２９】
出金される紙幣の枚数が出金口２３１の容量よりも多いときには、出金する紙幣を、複数回に分けて払い出す（分割出金処理）。すなわち、分割出金処理では、出金口２３１の容量以下の枚数の紙幣を出金口２３１に払い出した時点で処理が中断し、出金口２３１から紙幣が取り除かれた後、出金処理が再開する。こうした処理の中断と再開とが、出金される紙幣の枚数に応じて繰り返される。
【０２３０】
出金処理の途中で、リジェクト紙幣が発生した場合、回収カセット５３が利用可能である場合には、同図に矢印（破線）で示すように、リジェクト紙幣は回収カセット５３に搬送され、そこに収納される。その後、指示された枚数が払い出されるまで、一連の処理が続けて行われる。回収カセット５３が未装着、回収カセット５３が縮退状態にあるなど、回収カセット５３が利用不能である場合には、リジェクト紙幣も出金口２３１に払い出される。この場合、リジェクト紙幣分の新たな紙幣は再出金せず、オペレータにその旨を知らせる警告が発せられる。
【０２３１】
出金処理に際し、払い出す紙幣の順序を設定することができる（出金順序設定）。出金順序設定は、例えば、上位端末Ｔ等で出金順序設定を選択指示することによって設定できる。出金順序設定を行うことにより、例えば、同じ金種を収納する収納モジュール３１が複数ある場合に、その設定番号の順に払い出すことができる。また、受入対象金種として設定されている金種の番号順に払い出すことができる。また、紙幣の長さや大きさ順に払い出すこともできる。
【０２３２】
また、出金処理に際し、所定枚数に分けて出金処理することができる（バッチ処理）。バッチ処理は、例えば、上位端末Ｔ等でバッチ処理を選択指示することによって設定できる。バッチ処理を行うことにより、設定した所定枚数を払い出した時点で出金処理は中断する。そして、出金口２３１の紙幣を抜き取ることによって再度出金処理が開始する。また、金種が切り替わる際にも出金処理を中断し、出金口２３１の紙幣の抜き取り待ちとなる。従って、出金される紙幣を金種別に扱うことできる。
【０２３３】
また、出金処理に際し、複数の収納モジュール３１から時間を空けずに連続して紙幣を繰り出させる方法（一括出金）と、紙幣を繰り出す収納モジュール３１が切り替わる時、繰り出した紙幣が全て出金口２３１に払い出された後に、次の収納モジュール３１から紙幣を繰り出させる方法（個別出金）とが選択できる。一括出金は処理時間が短い利点があり、個別出金は金種が揃う利点がある。
【０２３４】
なお、出金順序設定やバッチ処理、個別出金は、収納モジュール３１が単金種設定である場合に行うことができ、混合巻き金種設定の収納モジュール３１の場合は、複数の金種が収納されているので行うことができない。
【０２３５】
図４１に、収納部３が混合巻き金種設定の収納モジュール３１を含む場合における出金処理の動作を示す。図例では、収納モジュール３１−２が混合巻き金種設定とされ、その他の収納モジュール３１は単金種設定とされている。混合巻き金種設定の収納モジュール３１からの出金処理は、一時保留部５１及びカセット５３が入出金機１Ｃに装着されている場合に可能となる。
【０２３６】
収納モジュール３１−２に収納されている紙幣は、同図に矢印（実線）で示すように、繰り出され、識別部２５に搬送される。識別部２５で識別された結果、払い出し対象の紙幣は、出金口２３１に払い出される。そして、同図に矢印（破線）で示すように、リジェクト紙幣は、回収カセット５３に収納され、余剰分の紙幣は、一時保留部５１に収納される。その後、一時保留部５１に収納された余剰分の紙幣は、同図に矢印（太実線）で示すように、逆向きに搬送され、元の収納モジュール３１−２に収納される。
【０２３７】
（全払い出し処理）
全払い出し処理は、指示された収納モジュール３１に収納されている全ての紙幣を出金口２３１に払い出し、当該収納モジュール３１を空にする処理である。
【０２３８】
図４２に、本処理の動作を示す。例えば上位端末Ｔ等で所定の操作が行われることにより、全払い出し処理が開始する。同図に矢印（実線）で示すように、指定された収納モジュール３１から紙幣が繰り出される。金庫部側搬送部４３は、繰り出された紙幣を、処理部側搬送部４１へと搬送する。処理部側搬送部４１は、各紙幣を識別部２５に搬送し、識別部２５が識別を行った後、リジェクト紙幣を含む全ての紙幣を出金部２３へと搬送する。そうして、指示対象の収納モジュール３１が空になるまで出金口２３１に各紙幣が払い出される。
【０２３９】
（回収処理）
回収処理は、指示された金種を収納している収納モジュール３１から、紙幣を回収カセット５３に搬送する処理である。従って、回収処理は、回収カセット５３が利用可能な場合に行うことができる。
【０２４０】
図４３に、本処理の動作を示す。上位端末Ｔ等において、金種や枚数を指定する所定の回収操作を行うことによって回収処理は開始する。同図に矢印（実線）で示すように、指定された金種の紙幣が収納モジュール３１から指定された枚数だけ繰り出される。金庫部側搬送部４３は、繰り出された紙幣を処理部側搬送部４１へと搬送する。処理部側搬送部４１は、各紙幣を識別部２５に搬送し、識別部２５が識別を行った後、回収カセット５３へと搬送する。
【０２４１】
回収処理に際し、払い出す紙幣の順序を設定することができる（回収順序設定）。回収順序設定は、例えば、上位端末Ｔ等で回収順序設定を選択指示することによって設定できる。回収順序設定を行うことにより、例えば、同じ金種を収納する収納モジュール３１が複数ある場合に、その設定番号の順に回収することできる。また、受入対象金種として設定されている金種の番号順に回収することもできる。また、札の長さや大きさ順に回収することもできる。
【０２４２】
また、回収処理に際し、複数の収納モジュール３１から時間を空けずに連続して紙幣を繰り出させる方法（一括回収）と、紙幣を繰り出す収納モジュール３１が切り替わる時、繰り出した紙幣が全て回収カセット５３に回収された後に、次の収納モジュール３１から紙幣を繰り出させる方法（個別回収）とが選択できる。一括回収は処理時間が短い利点があり、個別回収は金種が揃う利点がある。
【０２４３】
なお、回収順序設定や個別回収は、収納モジュール３１が単金種設定である場合に行うことができ、混合巻き金種設定の収納モジュール３１の場合は、複数の金種が収納されているので行うことができない。
【０２４４】
図４４に、収納部３が混合巻き金種設定の収納モジュール３１を含む場合を示す。同図では、収納モジュール３１−２が混合巻き金種設定とされ、その他の収納モジュール３１は単金種設定とされている。混合巻き金種設定の収納モジュール３１からの回収処理は、一時保留部５１及びカセット５３が入出金機１Ｃに装着されている場合に回収可能となる。
【０２４５】
収納モジュール３１−２に収納されている紙幣は、同図に矢印（実線）で示すように、繰り出され、識別部２５に搬送される。識別部２５で識別された結果、払い出し対象の紙幣は、回収カセット５３に収納される。そして、同図に矢印（破線）で示すように、余剰分の紙幣は、一時保留部５１に収納される。その後、一時保留部５１に収納された余剰分の紙幣は、同図に矢印（太実線）で示すように、逆向きに搬送され、元の収納モジュール３１−２に収納される。
【０２４６】
回収処理に際し、損券や真偽不確定な紙幣等、正券以外の紙幣（異カテゴリー券ともいう）を収納している収納モジュール３１がある場合、予め設定された搬送先に、収納されている紙幣を所定順で搬送することができる。搬送先としては、例えば、回収カセット５３や出金口２３１が設定できる。この場合、枚数の指定はできず、収納モジュール３１に収納されている全ての異カテゴリー券が搬送される。
【０２４７】
図４５に、そのような場合の動作を示す。図例では、収納モジュール３１−８に異カテゴリー券が収納され、その他の収納モジュール３１には正券が収納されている。搬送先として出金口２３１が設定されている場合には、収納モジュール３１−８から繰り出された異カテゴリー券は、同図に矢印（実線）で示すように、金庫部側搬送部４３、処理部側搬送部４１を経て識別部２５に搬送され、識別部２５で識別が行われた後、出金口２３１へ払い出される。また、搬送先として回収カセット５３が設定されている場合には、同図に矢印（太実線）で示すように、回収カセット５３に搬送される。
【０２４８】
収納部３が、異カテゴリー券を含む収納モジュール３１を含む場合、単金種の収納モジュール３１、混合巻き金種設定の収納モジュール３１、異カテゴリー券を含む収納モジュール３１の順で、指示された紙幣から回収処理が行われる。
【０２４９】
（残置回収処理）
残置回収処理は、指示された金種の紙幣を、指示された枚数だけ残して、その他を回収する処理である。残置回収処理は、収納モジュール３１ごとに１金種ずつ行われる。本処理は、一時保留部５１及び回収カセット５３のうち、少なくとも一時保留部５１が入出金機１Ｃに装着されている場合に用いることができる。
【０２５０】
図４６に、一時保留部５１のみが入出金機１Ｃに装着されている場合における本処理の動作を示す。上位端末Ｔ等において、金種や残置枚数、処理する収納モジュール３１等を指定する所定の回収操作を行うことにより、残置回収処理は開始する。なお、この場合、残置指示する枚数を全数とした場合は、いわゆる精査処理を指定した場合と同様になる。
【０２５１】
図例では、収納モジュール３１−１が本処理の対象として指示されている。同図に矢印（実線）で示すように、指定された金種の紙幣が収納モジュール３１−１から繰り出され、金庫部側搬送部４３は、繰り出された紙幣を処理部側搬送部４１へと搬送する。その紙幣は、処理部側搬送部４１によって識別部２５に搬送され、識別が行われる。識別の結果、正券は一時保留部５１へと搬送され、そこに収納される。リジェクト紙幣は、同図に矢印（破線）で示すように、出金口２３１に払い出される。
【０２５２】
収納モジュール３１−１から全ての紙幣が繰り出された後、同図に矢印（太実線）で示すように、一時保留部５１に収納された紙幣は、繰り出され、逆の搬送経路を経て搬送され、指定された残置枚数に達するまで、元の収納モジュール３１−１に収納される。指定された残置枚数に達した場合、残置回収処理は終了し、処理対象の金種について、その旨が記録される。
【０２５３】
図４７に、一時保留部５１及び回収カセット５３が入出金機１Ｃに装着されている場合における本処理の動作を示す。本図例においても、収納モジュール３１−１が本処理の対象として指示されており、上位端末Ｔ等において、金種や残置枚数、処理する収納モジュール３１等を指定する所定の操作を行うことにより、残置回収処理が開始する。
【０２５４】
この場合も、同図に矢印（実線）で示すように、指定された金種の紙幣が収納モジュール３１−１から繰り出され、識別部２５で正券と識別された紙幣は一時保留部５１へと搬送され、そこに収納される。一方、リジェクト紙幣は、同図に矢印（破線）で示すように、回収カセット５３に搬送されて収納される。
【０２５５】
指定された残置枚数の正券が一時保留部５１に収納された時、その枚数を超える正券は回収カセット５３に搬送されて収納される。更に、処理対象と同じ金種の紙幣を収納する収納モジュール３１が他にもある場合には、それら紙幣も併せて回収カセット５３に搬送されて収納される。
【０２５６】
その後、同図に矢印（太実線）で示すように、一時保留部５１に収納された紙幣は、繰り出され、逆の搬送経路を経て搬送され、元の収納モジュール３１−１に収納される。そして、処理対象の金種について残置回収処理が終了した旨が記録される。
【０２５７】
残置回収処理に際し、回収処理と同様に、回収順序設定ができる。ただし、混合巻き金種設定の収納モジュール３１の場合は、複数の金種が収納されているので行うことができない。混合巻き金種設定の収納モジュール３１は、単金種設定の収納モジュール３１の後に残置回収処理される。
【０２５８】
また、回収処理と同様に、異カテゴリー券を収納している収納モジュール３１がある場合、予め設定された搬送先に、収納されている紙幣を所定順で搬送することもできる。この収納モジュール３１の扱いは回収処理と同様である。
【０２５９】
＜貨幣処理装置の具体的構成＞
図４８に、関連発明を具体的に説明するための貨幣処理装置１の基本的な構成例を示す。同図の貨幣処理装置１は、上述した３つの貨幣処理装置１Ａ，１Ｂ，１Ｃ等を包括的に表している。
【０２６０】
ここでは、貨幣処理装置１がスーパーマーケット等のリテールに設置され、売上金の管理に用いられている場面を例に説明する。貨幣処理装置１は上位端末Ｔに接続されている。また、貨幣処理装置１は、ネットワークＮを通じて銀行の勘定系システムＫにも接続され、双方向通信可能となっている。
【０２６１】
貨幣処理装置１の具体的構成や機能については上述したので、ここではその説明は省略する。本実施形態の貨幣処理装置１は、少なくとも貨幣収納部５００１と、施錠部５００２と、制御部５１３とを備えている。貨幣収納部５００１は、貨幣を収納する部位であり、上述した入出金機１Ａ等であれば、第１金庫部１３等（ここでは包括的に金庫部１３ととして扱う）に配設された収納部３や回収カセット５３が本実施形態の貨幣収納部５００１に相当する。なお、本実施形態では、第２機種の別タイプや第３の機種のように、金庫部は１つであるが、後述するように、２つ以上であってもよい。
【０２６２】
施錠部５００２は、防護筐体１３１の前面に設けられた第１開閉扉１３３（ここでは包括的に開閉扉１３３として扱う）の第１電子錠１３３１等に相当する。通常、施錠部５００２は施錠されていて、金庫部１３の内部にある収納部３等にアクセスすることは制限されているが、施錠部５００２を解錠することでアクセス可能になる。施錠部５００２はまた、制御部５１３と電気的に接続されていて、例えば制御部５１３は施錠部５００２の暗証番号の変更を行う。
【０２６３】
図４９に示すように、本実施形態の制御部５１３は、上述した制御部５１３に更に機能が付加されており、解錠権限管理部５００４や所有権管理部５００５を有している。
【０２６４】
解錠権限管理部５００４は、記憶部５９等と協働して、施錠部５００２を解錠する権限である解錠権限を管理する。記憶部５９は、解錠権限に関する情報を記憶する権限記憶部を含み（図示省略）、操作部５５等から入力することにより、解錠権限管理部５００４は、解錠権限を有する資格者（解錠資格者ともいう）を権限記憶部５９に登録する。権限記憶部は、複数の解錠資格者を記憶することができる。各解錠資格者には、施錠部５００２、つまり電子錠等を解錠するための固有の暗証番号等が付与される。なお、解錠資格者は特定のグループも含む。
【０２６５】
また、解錠権限管理部５００４は、登録されている複数の解錠資格者の中から、施錠部５００２の解錠が許可される者（解錠権限設定者ともいう）を設定する機能を有する。解錠権限設定者は、通常は１者であるが、複数であってもよい。
【０２６６】
このように、複数の解錠資格者が登録されていても、実際に施錠部５００２を解錠できるのは、解錠権限設定者のみである。例えば、解錠権限管理部５００４が、施錠部５００２において、解錠権限設定者の暗証番号のみを有効にすることにより、解錠権限設定者の設定が行われる。
【０２６７】
所有権管理部５００５は、記憶部５９等と協働して、貨幣収納部５００１に収納されている貨幣の所有権を管理する。記憶部５９は、貨幣収納部５００１の所有権を有する者や、その所有権者と関連付けて貨幣収納部５００１に収納されている貨幣の在高等の履歴を記憶する。また、記憶部５９は、貨幣収納部５００１の所有権者と解錠権限設定者との間も関連付けして記憶する。所有権管理部５００５は、ネットワークＮを通じて銀行の勘定系システムＫと相互通信し、所有権者の口座に入出金処理する機能や、登録されている解錠資格者の口座間で振替処理を行う機能を有している。
【０２６８】
解錠権限管理部５００４や所有権管理部５００５は、所定の条件に基づいてその処理を実行する。その条件としては、例えば、上位端末Ｔ等から解錠権限設定者の変更を伴う命令が入力された場合や、貨幣処理装置１の特定の状態、例えば、貨幣処理装置１が移動したり衝撃が加えられるなど、貨幣処理装置１の異常を検知した場合、特定の時刻が来た場合等が挙げられる。
【０２６９】
なお、これら機能は、貨幣処理装置１が備える制御部５１３や記憶部５９が有するだけでなく、その一部又は全部を上位端末Ｔが有することもできる。要するに、貨幣処理装置１の制御部５１３や記憶部５９等と、上位端末Ｔとの協働により、これらの機能が発揮できればよい。
【０２７０】
図５０に、貨幣収納部５００１の解錠資格者や解錠権限設定者、所有権者の関係を例示する。本実施形態では、貨幣処理装置１がリテールに設置されているため、貨幣処理装置１を扱う主体には、例えば、売上金を管理する店舗の経理担当者や、店舗と取引のある銀行、銀行から依頼を受けて貨幣を回収する貨幣回収業者がある。
【０２７１】
従来の貨幣処理装置１であれば、同図の従来例に示すように、解錠資格者や解錠権限設定者はいずれも貨幣回収業者に固定されており、貨幣収納部５００１内の貨幣の所有権も貨幣回収業者となっている。それに対し、本実施形態の貨幣処理装置１では、例えば、設定例１に示すように、解錠資格者に貨幣回収業者と、経理担当者とが登録され、そのうち、解錠権限設定者の初期値として、貨幣回収業者が設定されている。そして、貨幣収納部５００１の所有権は貨幣回収業者にある。
【０２７２】
また、設定例２に示すように、解錠資格者に貨幣回収業者と、経理担当者と、銀行とを登録し、そのうち、解錠権限設定者の初期値として貨幣回収業者を設定してもよい。この場合も、貨幣収納部５００１の所有権は貨幣回収業者にある。
【０２７３】
例えば、経理担当者が貨幣処理装置１を用いて売上金の処理を行っている時に、金庫部内で何らかのトラブルが発生し、その処理が中断したとする。復旧するには施錠部５００２を解錠する必要があるが、この場合、従来であれば、貨幣回収業者しか施錠部５００２を解錠できないため、経理担当者は、貨幣回収業者を呼び出し、その到着を待つしか復旧させる方法は無かった。その結果、売上金の処理は長期間中断され、２４時間以上放置せざるを得ない場合も生じ得る。それに対し、本実施形態の貨幣処理装置１では、動的に解錠権限設定者を変更できるので、トラブルに迅速かつ柔軟に対応でき、利便性が向上する。
【０２７４】
図５１に、そのような場合における貨幣処理装置１の動作例を示す。経理担当者は、売上金の処理中に金庫部内でトラブルが発生した場合（ステップＳ１）、上位端末Ｔや操作部５５を通じて解錠権限設定者の変更命令を入力する。変更命令の入力は、例えば、解錠資格者のみに許され、固有の暗証番号の入力やＩＤカード等により可能になる。変更先の解錠権限設定者は、例えば、変更命令の入力者が自動的に選ばれるようにしてもよいし、解錠資格者の中から選択して指定するようにしてもよい。また、経理担当者から連絡を受けた貨幣回収業者が上位端末Ｔを通じて解錠権限設定者の変更命令を入力するようにしてもよい。
【０２７５】
変更命令が入力されると、解錠権限設定者の変更が行われ（ステップＳ２）、解錠権限管理部５００４は、選ばれた解錠資格者を新たな解錠権限設定者に設定する。ここでは、経理担当者が新たな解錠権限設定者に設定される。例えば、解錠権限管理部５００４により、施錠部５００２の暗証番号が貨幣回収業者の暗証番号から経理担当者の暗証番号に変更され、経理担当者は、貨幣回収業者に代わって施錠部５００２を解錠できるようになる。
【０２７６】
経理担当者は、施錠部５００２を解錠し（ステップＳ３）、金庫部１３内のトラブルを解消する。トラブルの解消後、経理担当者が開閉扉１３３を閉じると、施錠部５００２は自動的に施錠される（ステップＳ４）。施錠部５００２の施錠と同時あるいはその後に、解錠権限管理部５００４は、経理担当者から元の貨幣回収業者に解錠権限設定者を変更する。そうして、貨幣処理装置１が復旧すれば、中断した売上金の処理を再開することができる（ステップＳ５）。
【０２７７】
このとき、解錠権限の変更前後で貨幣収納部５００１内の貨幣の取り扱いが問題になる場合がある。例えば、経理担当者が貨幣収納部５００１にアクセスしている時に、何らかの事情により貨幣収納部５００１内の貨幣が減少したとすると、その後、解錠権限を貨幣回収業者に戻したときには、本来的にその貨幣の所有権者である貨幣回収業者が不測の不利益を受けることになり、信頼性を損なうおそれがある。
【０２７８】
そこで、信頼性が損なわれないように、この貨幣処理装置１では、解錠権限の変更と同時あるいはそれと前後して貨幣収納部５００１内の貨幣の所有権も変更するように構成されている。すなわち、所有権管理部５００５は、解錠権限管理部５００４が解錠権限設定者を変更するタイミングに合わせて、貨幣回収業者の口座から経理担当者（店舗）の口座へ、貨幣収納部５００１内の貨幣を振り替る振替処理を行い、貨幣収納部５００１内の貨幣の所有権者を変更する。
【０２７９】
詳細には、解錠時における貨幣収納部５００１内に収納されている貨幣の残高を確定する。そして、その残高分の貨幣を貨幣回収業者の口座から経理担当者（店舗）の口座へ移動させ、いったん貨幣回収業者が経理担当者に残高分の貨幣を貸し付けた状態にする。そうして、解錠時に貨幣収納部５００１内にある貨幣の所有権を貨幣回収業者から経理担当者に移動させる。その際、売上金の一部が、既に、銀行の勘定系システムＫを通じて貨幣回収業者の口座に送金されている場合には、所有権管理部５００５は、前処理として、その送金処理の全体をキャンセルし、解錠権限設定者の変更前における貨幣回収業者の口座残高を保留する。
【０２８０】
更に、その後、解錠権限管理部５００４が解錠権限設定者を経理担当者から貨幣回収業者へ変更するタイミングでは、所有権管理部５００５は、経理担当者（店舗）の口座から貨幣回収業者の口座へ、貨幣収納部５００１内の貨幣を振り替る振替処理を行う。詳細には、全精査処理等を行うことにより、施錠時における貨幣収納部５００１内に収納されている貨幣の残高を確定する。そして、その残高分の貨幣を経理担当者（店舗）の口座に入金するとともに、経理担当者が貨幣回収業者から貸し付けられた状態になっている残高分の貨幣を、経理担当者（店舗）の口座から貨幣回収業者の口座へ移動させ、返済した状態にする。そうして、施錠時における貨幣収納部５００１内の貨幣の所有権を、経理担当者から貨幣回収業者に戻す。
【０２８１】
このようにすれば、仮に、経理担当者が貨幣収納部５００１にアクセスしてる時、何らかの事情によって、貨幣収納部５００１内の貨幣が減少するようなことがあったとしても、その減少分が、その際に所有権者であった経理担当者（店舗）の口座から減額されるだけであり、貨幣回収業者の口座の金額に変化は生じないので、貨幣回収業者が不測の不利益を被ることがなくなる。従って、解錠権限が動的に変更するようになっても、貨幣処理装置１の信頼性を確保することができる。なお、振替処理は、ネットワークＮを通じてリアルタイムに行ってもよいし、いったん記憶部５９に記憶してから適宜行ってもよい。その後、経理担当者は、改めて売り上げ金の処理を再開することができる。
【０２８２】
解錠資格者が施錠部５００２を解錠した場合に、自動的に所有権が変更するようにしてもよい。例えば、解錠権限設定者に貨幣回収業者と経理担当者の２者を設定し、経理担当者も施錠部５００２を解錠できるようにする。そうして、経理担当者が、自身の暗証番号を入力して施錠部５００２を解錠すると、自動的に、所有権管理部５００５が、貨幣回収業者から経理担当者へ、所有権を変更するように構成する。そうすれば、指示命令の入力等の作業が不要になり、復旧作業の時間が更に短縮できる。
【０２８３】
この貨幣処理装置１は、異常時のセキュリティ対応にも利用できる。例えば、上述した設定例２のように設定すれば、貨幣処理装置１が移動させられたり、大きな衝撃を受けるなど、貨幣処理装置１の異常を検知した場合に銀行以外は解錠できないようにすればよい。なお、異常の検知は、センサ等を通じて制御部５１３が行う。
【０２８４】
図５２に、そのような場合における貨幣処理装置１の動作例を示す。制御部５１３が貨幣処理装置１の異常を検知する（ステップＳ１１）。そうすると、解錠権限管理部５００４は、貨幣回収業者から銀行へ、解錠権限設定者を変更する（ステップＳ１２）。そうすると、施錠部５００２は銀行以外解錠できなくなるため、貨幣の盗難等が抑止できる。この場合、施錠部５００２は解錠されないので、所有権者は必ずしも変更しなくてもよい。
【０２８５】
また、タイマー設定等により、所定の時刻が来た時に、解錠権限等の変更が行われるようにしてもよい。例えば、貨幣回収業者が回収可能な時間帯は、貨幣回収業者に解錠権限等を設定し、それ以外の時間は経理担当者に解錠権限等を設定することなどが考えられる。この場合、貨幣回収業者が回収不能な時間帯でも、貨幣回収業者の代わりに経理担当者が貨幣の回収をすることもできるので、利便性が向上する。
【０２８６】
（変形例）
図５３に、関連発明に関する貨幣処理装置１の変形例を示す。この貨幣処理装置１は、上述した入出金機１Ａ等のように２つの金庫部１３，１４を備えており、そのそれぞれに、個別に解錠権限が設定できる施錠部５００２が設けられている。具体的には、第１金庫部１３の第１開閉扉１３３に第１施錠部５００２ａ（第１電子錠１３３１に相当）が設けられ、第２金庫部１４の第２開閉扉１３５に第２施錠部５００２ｂ（第２電子錠１３３２に相当）が設けられていて、それぞれ制御部５１３による解錠権限者等の設定が可能になっている。
【０２８７】
第１金庫部１３の内部には、貨幣処理装置１から取り外し可能な貨幣カセット５００６が少なくも１つ配設されている。貨幣カセット５００６は、上述した入出金機１Ａ等の収納カセット３１や収納モジュール３１に相当する。
【０２８８】
図５４に、この貨幣処理装置１における解錠資格者や解錠権限設定者、所有権者の関係（初期設定）を例示する。図例では、解錠資格者は、第１金庫部１３の第１施錠部５００２ａ、第２金庫部１４の第２施錠部５００２ｂともに経理担当者、銀行、貨幣回収業者の３者が登録されており、解錠権限設定者は、第１施錠部５００２ａが経理担当者に、第２施錠部５００２ｂが貨幣回収業者にそれぞれ設定されている。所有権者も解錠権限設定者に対応して同じに設定されている。
【０２８９】
通常、貨幣回収業者は、第１金庫部１３３内の各貨幣カセット５００６から第２金庫部１４の回収カセット５３に紙幣を回収し（回収処理）、その回収カセット５３から紙幣を回収している。しかし、この回収処理は時間がかかる難点がある。その一方で、貨幣カセット５００６から直接紙幣を回収することも可能であり、そうすれば、回収時間を短縮できるし、場合によってはその方が好ましいこともある。
【０２９０】
そこで、この貨幣処理装置１では、貨幣回収業者が第１金庫部１３からも貨幣を回収できるように工夫されている。図５５に、その場合における貨幣処理装置１の動作例を示す。貨幣回収業者が第１金庫部１３から貨幣の回収を行おうとする場合、まず、貨幣回収業者は、上位端末Ｔ等を通じてカセット回収モードを選択し、制御部５１３にカセット回収を指示する命令を入力する（ステップＳ２１）。それにより、解錠権限管理部５００４は、第１施錠部５００２ａの解錠権限設定者の設定を、経理担当者から貨幣回収業者へ変更する（ステップＳ２２）。
【０２９１】
その結果、第１施錠部５００２ａは貨幣回収業者によって解錠できるようになり、貨幣回収業者は、例えば自身の暗証番号を入力して第１施錠部５００２ａを解錠する（ステップＳ２３）。そして、第１施錠部５００２ａが解錠されると、所有権管理部５００５は、経理担当者（店舗）の口座から貨幣回収業者の口座へ、貨幣収納部５００１内の貨幣を振り替る振替処理を行い、所有権者を変更する。それにより、貨幣回収業者は、自身に所有権がある貨幣収納部５００１から自由に貨幣が回収できるようになる。
【０２９２】
そして、貨幣の回収が終了し、第１施錠部５００２ａが施錠されると（ステップＳ２４）、所有権管理部５００５は、貨幣回収業者の口座から経理担当者（店舗）の口座へ、貨幣収納部５００１内の貨幣を振り替る振替処理を行い、所有権者を元に戻す。
【０２９３】
貨幣収納部５００１は、貨幣カセット５００６であってもよい。すなわち、貨幣カセット５００６のそれぞれに設けられた施錠部に対し、それぞれ、解錠資格者や解錠権限設定者、所有権者が設定できるように構成する。ここでの施錠部は、上述した貨幣処理装置１のロック部３００１が相当する。そうすれば、よりいっそう多様な貨幣の管理ができるようになるため、利便性が向上する。
【０２９４】
開閉扉１３３等に、電子錠に加えて電子ロック（別施錠部）を設け、それぞれ、異なる解錠権限設定者等が設定できるようにしてもよい。例えば、電子ロックには、無通電時には施錠状態であり、通電することによって解錠可能となるタイプを用いる。そして、電子ロックはそれ自体の操作により施錠及び解錠ができるようにし、電子錠は、電子ロックが解錠されている場合でのみ解錠できるように構成する。
【０２９５】
そうすれば、電子錠と電子ロックとで、解錠操作のセキュリティレベルを異ならせることができるので、セキュリティレベルに応じて施錠部５００２を選択して用いることができる。
【０２９６】
また、施錠部５００２の解錠を検知して制御部５１３に出力するセンサを設け、解錠権限設定者の変更時に施錠部５００２が解錠された場合に、その情報を、変更前の解錠権限設定者、変更後の解錠権限設定者の双方に通報するようにするとよい。そうすれば、解錠権限の変更があれば、その情報を漏れなく関係者に知らせることができる。
【符号の説明】
【０２９７】
１Ａ，１Ｂ，１Ｃ  貨幣処理装置
２１  入金部
２３  出金部
２５  識別部
４１  搬送部
５１  リジェクト一時保留部
２１１  投入口
２３１  第１出金口
２３２  第２出金口
５１１  表示部
５１３  制御部
【図１】
0006042950.tif 000002
【図２】
0006042950.tif 000003
【図３】
0006042950.tif 000004
【図４】
0006042950.tif 000005
【図５】
0006042950.tif 000006
【図６】
0006042950.tif 000007
【図７】
0006042950.tif 000008
【図８】
0006042950.tif 000009
【図９】
0006042950.tif 000010
【図１０】
0006042950.tif 000011
【図１１】
0006042950.tif 000012
【図１２】
0006042950.tif 000013
【図１３】
0006042950.tif 000014
【図１４】
0006042950.tif 000015
【図１５】
0006042950.tif 000016
【図１６】
0006042950.tif 000017
【図１７】
0006042950.tif 000018
【図１８】
0006042950.tif 000019
【図１９】
0006042950.tif 000020
【図２０】
0006042950.tif 000021
【図２１】
0006042950.tif 000022
【図２２】
0006042950.tif 000023
【図２３】
0006042950.tif 000024
【図２４】
0006042950.tif 000025
【図２５】
0006042950.tif 000026
【図２６】
0006042950.tif 000027
【図２７】
0006042950.tif 000028
【図２８】
0006042950.tif 000029
【図２９】
0006042950.tif 000030
【図３０】
0006042950.tif 000031
【図３１】
0006042950.tif 000032
【図３２】
0006042950.tif 000033
【図３３】
0006042950.tif 000034
【図３４】
0006042950.tif 000035
【図３５】
0006042950.tif 000036
【図３６】
0006042950.tif 000037
【図３７】
0006042950.tif 000038
【図３８】
0006042950.tif 000039
【図３９】
0006042950.tif 000040
【図４０】
0006042950.tif 000041
【図４１】
0006042950.tif 000042
【図４２】
0006042950.tif 000043
【図４３】
0006042950.tif 000044
【図４４】
0006042950.tif 000045
【図４５】
0006042950.tif 000046
【図４６】
0006042950.tif 000047
【図４７】
0006042950.tif 000048
【図４８】
0006042950.tif 000049
【図４９】
0006042950.tif 000050
【図５０】
0006042950.tif 000051
【図５１】
0006042950.tif 000052
【図５２】
0006042950.tif 000053
【図５３】
0006042950.tif 000054
【図５４】
0006042950.tif 000055
【図５５】
0006042950.tif 000056